(57)【要約】      （修正有）【課題】表示品質が向上した表示装置を提供する。【解決手段】第１画素領域に位置し、第１走査線と接続される第１画素と、前記第１走査線に第１走査信号を供給する第１走査駆動部と、第２画素領域に位置し、第２走査線と接続される第２画素と、前記第２走査線に第２走査信号を供給する第２走査駆動部と、第３画素領域に位置し、第３走査線と接続される第３画素と、前記第３走査線に第３走査信号を供給する第３走査駆動部と、前記第１走査駆動部に第１開始信号を供給し、前記第２走査駆動部に第２開始信号を供給し、前記第３走査駆動部に第３開始信号を供給するタイミング制御部を含み、前記タイミング制御部は、第１モードおよび前記第１モードと異なる第２モードに対応して前記第１開始信号、前記第２開始信号および前記第３開始信号の供給順序を異ならせて設定することができる。【選択図】図３
2018112741.tif 000002
【特許請求の範囲】
【請求項１】
第１画素領域に位置し、第１走査線と接続される第１画素と、
前記第１走査線に第１走査信号を供給する第１走査駆動部と、
第２画素領域に位置し、第２走査線と接続される第２画素と、
前記第２走査線に第２走査信号を供給する第２走査駆動部と、
第３画素領域に位置し、第３走査線と接続される第３画素と、
前記第３走査線に第３走査信号を供給する第３走査駆動部と、
前記第１走査駆動部に第１開始信号を供給し、前記第２走査駆動部に第２開始信号を供給し、前記第３走査駆動部に第３開始信号を供給するタイミング制御部を含み、
第１モードで前記第１開始信号、前記第２開始信号および前記第３開始信号が供給される順序と、前記第１モードと異なる第２モードで前記第１開始信号、前記第２開始信号および前記第３開始信号が供給される順序とが互いに異なる、表示装置。
【請求項２】
前記第１モードで前記第２画素領域に有効映像が表示され、
前記第２モードで前記第１〜第３画素領域に前記有効映像が表示される、請求項１に記載の表示装置。
【請求項３】
前記表示装置がウェアラブル装置に装着されると前記第１モードで駆動し、それ以外の場合に前記第２モードで駆動する、請求項１に記載の表示装置。
【請求項４】
前記第１走査駆動部は、前記第１開始信号に応じて前記第１走査信号の供給を開始し、
前記第２走査駆動部は、前記第２開始信号に応じて前記第２走査信号の供給を開始し、
前記第３走査駆動部は、前記第３開始信号に応じて前記第３走査信号の供給を開始する、請求項１に記載の表示装置。
【請求項５】
前記第１走査駆動部は、第１ダミーステージと第１走査ステージとを含み、
前記第１ダミーステージは前記第１開始信号の供給を受け、
最初の第１走査ステージは前記第１ダミーステージの出力信号の供給を受ける、請求項４に記載の表示装置。
【請求項６】
前記第１画素領域の最初の水平ラインに位置する第１画素は、前記第１ダミーステージおよび前記最初の第１走査ステージと接続される、請求項５に記載の表示装置。
【請求項７】
前記第２走査駆動部は、第２ダミーステージと第２走査ステージとを含み、
前記第２ダミーステージは前記第２開始信号の供給を受け、
最初の第２走査ステージは前記第２ダミーステージの出力信号の供給を受ける、請求項６に記載の表示装置。
【請求項８】
前記第２画素領域の最初の水平ラインに位置する第２画素は、前記第２ダミーステージおよび前記最初の第２走査ステージと接続される、請求項７に記載の表示装置。
【請求項９】
前記第３走査駆動部は、第３ダミーステージと第３走査ステージとを含み、
前記第３ダミーステージは前記第３開始信号の供給を受け、
最初の第３走査ステージは前記第３ダミーステージの出力信号の供給を受ける、請求項８に記載の表示装置。
【請求項１０】
前記第３画素領域の最初の水平ラインに位置する第３画素は、前記第３ダミーステージおよび前記最初の第３走査ステージと接続される、請求項９に記載の表示装置。
【請求項１１】
前記第３走査駆動部は、第３ダミーステージと第３走査ステージとを含み、
前記第３ダミーステージは前記第３開始信号の供給を受け、前記第３走査ステージの間に位置する、請求項８に記載の表示装置。
【請求項１２】
前記第３ダミーステージは最初の第３走査ステージと二番目の第３走査ステージとの間に位置する、請求項１１に記載の表示装置。
【請求項１３】
前記最初の第３走査ステージは、最後の第２走査ステージの出力信号の供給を受け、前記二番目の第３走査ステージは前記第３ダミーステージの出力信号の供給を受ける、請求項１２に記載の表示装置。
【請求項１４】
前記第３画素領域の最初の水平ラインに位置した第３画素は、最後の第２走査ステージおよび前記最初の第３走査ステージと接続される、請求項１３に記載の表示装置。
【請求項１５】
前記第３画素領域の二番目の水平ラインに位置する第３画素は、前記第３ダミーステージおよび前記二番目の第３走査ステージと接続される、請求項１３に記載の表示装置。
【請求項１６】
前記第２画素領域の最初の水平ラインに位置した第２画素に接続される第１補助線をさらに含む、請求項５に記載の表示装置。
【請求項１７】
前記タイミング制御部は、前記第１補助線と前記第２走査駆動部とに前記第２開始信号を供給する、請求項１６に記載の表示装置。
【請求項１８】
前記第２画素領域の最初の水平ラインに位置した第２画素は、前記第２開始信号と最初の第２走査線から供給された第２走査信号とに応じて駆動する、請求項１７に記載の表示装置。
【請求項１９】
前記第３画素領域の最初の水平ラインに位置した第３画素に接続される第２補助線をさらに含む、請求項１６に記載の表示装置。
【請求項２０】
前記タイミング制御部は、前記第２補助線と前記第３走査駆動部とに前記第３開始信号を供給する、請求項１９に記載の表示装置。
【請求項２１】
前記第３画素領域の最初の水平ラインに位置した第３画素は、
前記第３開始信号と最初の第３走査線から供給された第３走査信号とに応じて駆動する、請求項２０に記載の表示装置。
【請求項２２】
前記タイミング制御部は、
第１クロック線に第１クロック信号を供給し、第２クロック線に第２クロック信号を供給し、第３クロック線に第３クロック信号を供給し、第４クロック線に第４クロック信号を供給する、請求項９に記載の表示装置。
【請求項２３】
前記第１クロック信号と前記第３クロック信号の信号特性が同じであり、
前記第２クロック信号と前記第４クロック信号の信号特性が同じである、請求項２２に記載の表示装置。
【請求項２４】
前記第１ダミーステージと前記第１走査ステージのうちの一部のステージは、前記第１クロック線および前記第２クロック線を通じて前記第１クロック信号および前記第２クロック信号の入力を受け、
前記第１ダミーステージと前記第１走査ステージのうちの残りのステージは、前記第３クロック線および前記第４クロック線を通じて前記第３クロック信号および前記第４クロック信号の入力を受ける、請求項２２に記載の表示装置。
【請求項２５】
前記第２ダミーステージと前記第２走査ステージのうちの一部のステージは、前記第１クロック線および前記第２クロック線を通じて前記第１クロック信号および前記第２クロック信号の入力を受け、
前記第２ダミーステージと前記第２走査ステージのうちの残りのステージは、前記第３クロック線および前記第４クロック線を通じて前記第３クロック信号および前記第４クロック信号の入力を受ける、請求項２４に記載の表示装置。
【請求項２６】
前記第３ダミーステージと前記第３走査ステージのうちの一部のステージは、前記第１クロック線および前記第２クロック線を通じて前記第１クロック信号および前記第２クロック信号の入力を受け、
前記第３ダミーステージと前記第３走査ステージのうちの残りのステージは、前記第３クロック線および前記第４クロック線を通じて前記第３クロック信号および前記第４クロック信号の入力を受ける、請求項２５に記載の表示装置。
【請求項２７】
奇数番目に位置するステージは、前記第１クロック線または前記第３クロック線に接続され、
偶数番目に位置するステージは、前記第２クロック線または前記第４クロック線に接続される、請求項２６に記載の表示装置。
【請求項２８】
前記第１走査駆動部および前記第３走査駆動部は、前記第１クロック線および前記第２クロック線を通じて前記第１クロック信号および前記第２クロック信号の入力を受け、
前記第２走査駆動部は、前記第３クロック線および前記第４クロック線を通じて前記第３クロック信号および前記第４クロック信号の入力を受ける、請求項２２に記載の表示装置。
【請求項２９】
前記タイミング制御部は、前記第２モードで、
前記第１開始信号、前記第２開始信号および前記第３開始信号を順次供給する、請求項１に記載の表示装置。
【請求項３０】
前記タイミング制御部は、前記第１モードで、
第２走査信号が供給される間、前記第１走査信号および前記第３走査信号が供給されるように、前記第１開始信号、前記第２開始信号および前記第３開始信号の供給順序を設定する、請求項１に記載の表示装置。
【発明の詳細な説明】
【技術分野】
【０００１】
本発明は、表示装置に関する。
【背景技術】
【０００２】
最近、体に直接着用できる形態の多様な電子装置が開発されている。このような装置は、一般にウェアラブル（Ｗｅａｒａｂｌｅ）電子装置と呼ばれる。
【０００３】
ウェアラブル電子装置の一例として、ヘッドマウントディスプレイ（Ｈｅａｄ  Ｍｏｕｎｔｅｄ  Ｄｉｓｐｌａｙ  Ｄｅｖｉｃｅ：以下、「ＨＭＤ」と略記する。）は現場感のある映像を表示し、高度な没入感を提供する。このようなヘッドマウントディスプレイは、映画の鑑賞などを含めて多様な用途で使われている。
【先行技術文献】
【特許文献】
【０００４】
【特許文献１】韓国特許出願公開第１０−２０１６−００９４１１４号明細書
【特許文献２】韓国特許出願公開第１０−２０１６−００７０４４５号明細書
【発明の概要】
【発明が解決しようとする課題】
【０００５】
本発明は、表示品質が向上した表示装置を提供することを目的とする。
【課題を解決するための手段】
【０００６】
本発明の一実施例に係る表示装置は、第１画素領域に位置し、第１走査線と接続される第１画素と、前記第１走査線に第１走査信号を供給する第１走査駆動部と、第２画素領域に位置し、第２走査線と接続される第２画素と、前記第２走査線に第２走査信号を供給する第２走査駆動部と、第３画素領域に位置し、第３走査線と接続される第３画素と、前記第３走査線に第３走査信号を供給する第３走査駆動部と、前記第１走査駆動部に第１開始信号を供給し、前記第２走査駆動部に第２開始信号を供給し、前記第３走査駆動部に第３開始信号を供給するタイミング制御部を含み、前記タイミング制御部は、第１モードおよび前記第１モードと異なる第２モードに応じて前記第１開始信号、前記第２開始信号および前記第３開始信号の供給順序とを異ならせて設定することができる。
【０００７】
また、前記第１モードで前記第２画素領域に有効映像が表示され、前記第２モードで前記第１〜第３画素領域に前記有効映像が表示され得る。
【０００８】
また、前記表示装置がウェアラブル装置に装着されると前記第１モードで駆動し、それ以外の場合に前記第２モードで駆動され得る。
【０００９】
また、前記第１走査駆動部は、前記第１開始信号に応じて前記第１走査信号の供給を開始し、前記第２走査駆動部は、前記第２開始信号に応じて前記第２走査信号の供給を開始し、前記第３走査駆動部は、前記第３開始信号に応じて前記第３走査信号の供給を開始することができる。
【００１０】
また、前記第１走査駆動部は、第１ダミーステージと第１走査ステージとを含み、前記第１ダミーステージは前記第１開始信号の供給を受け、最初の第１走査ステージは前記第１ダミーステージの出力信号の供給を受けることができる。
【００１１】
また、前記第１画素領域の最初の水平ラインに位置する第１画素は、前記第１ダミーステージおよび前記最初の第１走査ステージと接続され得る。
【００１２】
また、前記第２走査駆動部は、第２ダミーステージと第２走査ステージとを含み、前記第２ダミーステージは前記第２開始信号の供給を受け、最初の第２走査ステージは前記第２ダミーステージの出力信号の供給を受けることができる。
【００１３】
また、前記第２画素領域の最初の水平ラインに位置する第２画素は、前記第２ダミーステージおよび前記最初の第２走査ステージと接続され得る。
【００１４】
また、前記第３走査駆動部は、第３ダミーステージと第３走査ステージとを含み、前記第３ダミーステージは前記第３開始信号の供給を受け、最初の第３走査ステージは前記第３ダミーステージの出力信号の供給を受けることができる。
【００１５】
また、前記第３画素領域の最初の水平ラインに位置する第３画素は、前記第３ダミーステージおよび前記最初の第３走査ステージと接続され得る。
【００１６】
また、前記第３走査駆動部は、第３ダミーステージと第３走査ステージとを含み、前記第３ダミーステージは前記第３開始信号の供給を受け、前記第３走査ステージの間に位置することができる。
【００１７】
また、前記第３ダミーステージは最初の第３走査ステージと二番目の第３走査ステージの間に位置することができる。
【００１８】
また、前記最初の第３走査ステージは、最後の第２走査ステージの出力信号の供給を受け、前記二番目の第３走査ステージは前記第３ダミーステージの出力信号の供給を受けることができる。
【００１９】
また、前記第２画素領域の最後の水平ラインに位置した第２画素は、最後の第２走査ステージおよび前記最初の第３走査ステージと接続され得る。
【００２０】
また、前記第３画素領域の二番目の水平ラインに位置する第３画素は、前記第３ダミーステージおよび前記二番目の第３走査ステージと接続され得る。
【００２１】
また、前記第２画素領域の最初の水平ラインに位置した第２画素に接続される第１補助線をさらに含むことができる。
【００２２】
また、前記タイミング制御部は、前記第１補助線と前記第２走査駆動部とに前記第２開始信号を供給することができる。
【００２３】
また、前記第２画素領域の最初の水平ラインに位置した第２画素は、前記第２開始信号と最初の第２走査線から供給された第２走査信号とに応じて駆動することができる。
【００２４】
また、前記第３画素領域の最初の水平ラインに位置した第３画素に接続される第２補助線をさらに含むことができる。
【００２５】
また、前記タイミング制御部は、前記第２補助線と前記第３走査駆動部に前記第３開始信号を供給することができる。
【００２６】
また、前記第３画素領域の最初の水平ラインに位置した第３画素は、前記第３開始信号と最初の第３走査線から供給された第３走査信号とに応じて駆動することができる。
【００２７】
また、前記タイミング制御部は、第１クロック線に第１クロック信号を供給し、第２クロック線に第２クロック信号を供給し、第３クロック線に第３クロック信号を供給し、第４クロック線に第４クロック信号を供給することができる。
【００２８】
また、前記第１クロック信号と前記第３クロック信号の信号特性が同じであり、前記第２クロック信号と前記第４クロック信号の信号特性が同じであってもよい。
【００２９】
また、前記第１ダミーステージと前記第１走査ステージのうちの一部のステージは、前記第１クロック線および前記第２クロック線を通じて前記第１クロック信号および前記第２クロック信号の入力を受け、前記第１ダミーステージと前記第１走査ステージのうちの残りのステージは、前記第３クロック線および前記第４クロック線を通じて前記第３クロック信号および前記第４クロック信号の入力を受けることができる。
【００３０】
また、前記第２ダミーステージと前記第２走査ステージとのうちの一部のステージは、前記第１クロック線および前記第２クロック線を通じて前記第１クロック信号および前記第２クロック信号の入力を受け、前記第２ダミーステージと前記第２走査ステージのうちの残りのステージは、前記第３クロック線および前記第４クロック線を通じて前記第３クロック信号および前記第４クロック信号の入力を受けることができる。
【００３１】
また、前記第３ダミーステージと前記第３走査ステージとのうちの一部のステージは、前記第１クロック線および前記第２クロック線を通じて前記第１クロック信号および前記第２クロック信号の入力を受け、前記第３ダミーステージと前記第３走査ステージのうちの残りのステージは、前記第３クロック線および前記第４クロック線を通じて前記第３クロック信号および前記第４クロック信号の入力を受けることができる。
【００３２】
また、奇数番目に位置するステージは、前記第１クロック線または前記第３クロック線に接続され、偶数番目に位置するステージは、前記第２クロック線または前記第４クロック線に接続され得る。
【００３３】
また、前記第１走査駆動部および前記第３走査駆動部は、前記第１クロック線および前記第２クロック線を通じて前記第１クロック信号および前記第２クロック信号の入力を受け、前記第２走査駆動部は、前記第３クロック線および前記第４クロック線を通じて前記第３クロック信号および前記第４クロック信号の入力を受けることができる。
【００３４】
また、前記タイミング制御部は、前記第２モードで、前記第１開始信号、前記第２開始信号および前記第３開始信号を順次供給することができる。
【００３５】
また、前記タイミング制御部は、前記第１モードで、第２走査信号が供給される間、前記第１走査信号および前記第３走査信号が供給されるように、前記第１開始信号、前記第２開始信号および前記第３開始信号の供給順序を設定することができる。
【発明の効果】
【００３６】
本発明に係ると、表示品質が向上した表示装置を提供することができる。
【図面の簡単な説明】
【００３７】
【図１Ａ】本発明の実施例に係る表示装置がウェアラブル装置に装着される様子を例示的に示した図面。
【図１Ｂ】本発明の実施例に係る表示装置がウェアラブル装置に装着される様子を例示的に示した図面。
【図１Ｃ】本発明の実施例に係る表示装置がウェアラブル装置に装着される様子を例示的に示した図面。
【図２】本発明の実施例に係る表示装置の画素領域を示した図面。
【図３】本発明の一実施例に係る表示装置の構成を具体的に示す図面。
【図４】図３に図示された第１画素の一実施例を示した図面。
【図５】図４に図示された第１画素の駆動方法を説明するための図面。
【図６】図３に図示された走査駆動部の構成をより詳しく示した図面。
【図７Ａ】図３に図示された表示装置が第２モードで駆動するときに走査駆動部から出力する走査信号の出力タイミングを説明するための波形図。
【図７Ｂ】図３に図示された表示装置が第２モードで駆動するときに表示領域に供給される走査信号の供給順序を説明するための図面。
【図８Ａ】図３に図示された表示装置が第１モードで駆動するときに走査駆動部から出力する走査信号の出力タイミングを説明するための波形図。
【図８Ｂ】図３に図示された表示装置が第１モードで駆動するときに表示領域に供給される走査信号の供給順序を説明するための図面。
【図９】本発明の他の実施例による表示装置の構成を具体的に示す図面。
【図１０】図９に図示された走査駆動部の構成を示した図面。
【図１１】表示装置が第２モードで駆動するときに図１０に図示された走査駆動部から出力する走査信号の出力タイミングを説明するための波形図。
【図１２】表示装置が第１モードで駆動するときに図１０に図示された走査駆動部から出力する走査信号の出力タイミングを説明するための波形図。
【図１３】本発明の他の実施例による表示装置の構成を具体的に示す図面。
【図１４Ａ】図１３に図示された第２画素領域の最初の水平ラインに位置した第２画素を示した図面。
【図１４Ｂ】図１３に図示された第３画素領域の最初の水平ラインに位置した第３画素を示した図面。
【図１５】図１３に図示された走査駆動部の構成をより詳しく示した図面。
【図１６Ａ】表示装置が第２モードで駆動するときに図１５に図示された走査駆動部から出力する走査信号の出力タイミングを説明するための波形図。
【図１６Ｂ】表示装置が第１モードで駆動するときに図１５に図示された走査駆動部から出力する走査信号の出力タイミングを説明するための波形図。
【図１７】本発明の実施例に係る発光駆動部の構成を示した図面。
【図１８Ａ】表示装置が第２モードで駆動するときに図１７に図示された発光駆動部から出力される発光制御信号の出力タイミングを説明するための波形図。
【図１８Ｂ】表示装置が第１モードで駆動するときに図１７に図示された発光駆動部から出力される発光制御信号の出力タイミングを説明するための波形図。
【図１９】本発明の他の実施例による表示装置の構成を示した図面。
【図２０】図１９に図示された走査駆動部の構成をより詳しく示した図面。
【図２１】図２０に図示された第１走査駆動部の実施例を示す図面。
【図２２Ａ】図２１に図示されたステージに入力する第１〜第４クロック信号および図２１に図示されたステージから出力する走査信号を示した波形図である。
【図２２Ｂ】図２１に図示されたステージに入力する第１〜第４クロック信号および図２１に図示されたステージから出力する走査信号を示した波形図である。
【図２３】クロック線とステージの間の接続関係に対する多様な実施例を示した図面。
【図２４】クロック線とステージの間の接続関係に対する多様な実施例を示した図面。
【図２５】走査ステージの実施例を示す回路図。
【発明を実施するための形態】
【００３８】
その他の実施例の具体的な事項は詳細な説明および図面に含まれている。
【００３９】
本発明の利点および特徴、そしてそれらを達成する方法は、添付される図面と共に詳細に後述されている実施例を参照すると明確となるであろう。しかし、本発明は以下に開示される実施例に限定されるものではなく、互いに異なる多様な形態で実現され得、以下の説明においてある部分が他の部分と接続されているとするとき、これは直接的に接続されている場合だけでなくその中間に他の素子を挟んで電気的に接続されている場合も含む。また、図面において本発明と関係のない部分は本発明の説明を明確にするために省略し、明細書全体を通じて類似の部分には同じ図面符号を付した。
【００４０】
以下、本発明の実施例と関連した図面を参照して、本発明の実施例に係る表示装置について説明する。
【００４１】
図１Ａ〜図１Ｃは本発明の実施例に係る表示装置がウェアラブル装置に装着される様子を例示的に示した図面である。図１Ａ〜図１Ｃではウェアラブル装置の実施例としてＨＭＤを図示したが、本発明に係るウェアラブル装置はこれに限定されない。
【００４２】
図１Ａおよび図１Ｂを参照すると、本発明の一実施例に係るウェアラブル装置３０は、フレーム３１を含むことができる。
【００４３】
フレーム３１にはバンド３２が連結され、使用者はバンド３２を利用してフレーム３１を頭に着用することができる。このようなフレーム３１は、表示装置１０が使用者により着脱可能に装着され得るようにするための構造を有することができる。
【００４４】
ウェアラブル装置３０に装着され得る表示装置１０はスマートフォンであってもよいが、これに限定されない。例えば、表示装置１０はスマートフォンの他にも、ウェアラブル装置３０に装着可能であり、表示手段を具備したタブレットＰＣ、電子ブックリーダー、コンピュータ、ワークステーション（ｗｏｒｋｓｔａｔｉｏｎ）、ＰＤＡ（ｐｅｒｓｏｎａｌ  ｄｉｇｉｔａｌ  ａｓｓｉｓｔａｎｔ）、ＰＭＰ（ｐｏｒｔａｂｌｅ  ｍｕｌｔｉｍｅｄｉａ  ｐｌａｙｅｒ）、カメラなどのような電子機器のうちのいずれか一つであってもよい。
【００４５】
表示装置１０がフレーム３１に装着されると、表示装置１０の連結部１１とフレーム３１の連結部３３とが連結されることによって、表示装置１０がウェアラブル装置３０に電気的に接続され得る。すなわち、ウェアラブル装置３０と表示装置１０との間で通信が行われ得る。
【００４６】
フレーム３１に装着された表示装置１０を制御するために、ウェアラブル装置３０はタッチセンサ、ボタン、ホイールキーのうちの少なくとも一つを含むことができる。
【００４７】
表示装置１０がウェアラブル装置３０に装着されると、表示装置１０はＨＭＤ装置として動作することができる。
【００４８】
例えば、表示装置１０がウェアラブル装置３０に装着された場合、表示装置１０は第１モード（例えば、ＶＲ  Ｍｏｄｅ）で駆動し、表示装置１０がウェアラブル装置３０から分離した場合、表示装置１０は第１モードと異なる第２モード（例えば、Ｎｏｒｍａｌ  Ｍｏｄｅ）で駆動することができる。
【００４９】
表示装置１０の駆動モードは自動または手動により切り替えることができる。例えば、表示装置１０がウェアラブル装置３０に装着されると表示装置１０が自動的に第１モードで駆動し、表示装置１０がウェアラブル装置３０から分離すると表示装置１０の駆動モードが自動的に第１モードから第２モードに切り替えられてもよい。
【００５０】
これとは異なって、使用者の設定によって表示装置１０が第１モードで駆動するか第２モードで駆動してもよい。
【００５１】
ウェアラブル装置３０は使用者の両眼に対応するレンズ２０を含むことができる。例えば、ウェアラブル装置３０は使用者の左眼および右眼に対応する左眼レンズ２１および右眼レンズ２２を含むことができる。
【００５２】
または、ウェアラブル装置３０は、左眼および右眼で同じ映像を同時に見られるように一つに統合されたレンズ２０を含むこともできる。
【００５３】
レンズ２０は、使用者の観測視野（ＦＯＶ：Ｆｉｅｌｄ  ｏｆ  Ｖｉｅｗ）を広げるために魚眼レンズ、広角レンズなどであってもよいが、これに限定されない。
【００５４】
表示装置１０がフレーム３１に固定されると、使用者はレンズ２０を通じて表示装置１０で表示される映像を見ることができる。これにより、使用者はまるで一定の距離に大型のスクリーンを置いて映像を見るような効果を享受することができる。
【００５５】
図１Ｃを参照すると、ウェアラブル装置３０に表示装置１０を装着して使用する場合、表示装置１０の一部の領域はフレーム３１によって遮られ得る。
【００５６】
例えば、表示装置１０がウェアラブル装置３０に装着されたとき、表示装置１０の全表示領域のうちの一部はフレーム３１によって遮られ得る。
【００５７】
表示装置１０がウェアラブル装置３０に装着された状態で、表示装置１０の全表示領域のうちのウェアラブル装置３０のレンズ２０を通じて使用者に視認される領域を含む領域が、視認領域ＶＤＡとなり得る。
【００５８】
表示装置１０の視認領域ＶＤＡを除いた残りの表示領域は、第１モードでフレーム３１によって遮られて使用者に視認されない非視認領域ＮＶＤＡとなり得る。
【００５９】
表示装置１０がウェアラブル装置３０に装着されて第１モードで駆動するとき、中心部の視認領域ＶＤＡでは有効映像が表示され得る。そして、それ以外の非視認領域ＮＶＤＡでは映像が表示されないか、ブラックあるいはダミー映像が表示され得る。
【００６０】
これとは違って、表示装置１０がウェアラブル装置３０から分離して第２モードで駆動するとき、表示装置１０の表示領域の全体が使用者に視認され得る。
【００６１】
すなわち、表示装置１０がウェアラブル装置３０から分離すると、表示領域の全体が視認領域ＶＤＡとなり得る。この場合、表示装置１０の表示領域の全体に有効映像が表示され得る。
【００６２】
本発明の実施例によると、表示装置１０の駆動モードにより有効映像が表示される領域が異なり得る。
【００６３】
本発明の一実施例で説明したように、表示装置１０をウェアラブル装置３０とともに使う場合、使用者は多様な形態の映像に接することができる。
【００６４】
ただし、表示装置１０が第１モードで駆動するとき、第１画素領域、第２画素領域および第３画素領域が非順次的に駆動されることによって、第１画素領域と第２画素領域間との境界線と、第２画素領域と第３画素領域間との境界線が視認され得る。
【００６５】
したがって、後述する本発明の実施例では表示領域を構成する複数の領域の間で境界線が視認されることを防止するとともに、前記領域間の境界で残像や光漏れ干渉が発生することを防止または最小化できる表示装置およびその駆動方法を提案する。
【００６６】
図２は、本発明の実施例に係る表示装置の表示領域を示した図面である。
【００６７】
図２を参照すると、本発明の一実施例に係る表示装置１０は表示領域ＡＡと周辺領域ＮＡとを含むことができる。
【００６８】
表示領域ＡＡは、多数の画素ＰＸＬ１、ＰＸＬ２、ＰＸＬ３を含み、映像を表示する活性領域（ａｃｔｉｖｅ  ａｒｅａ）であってもよい。
【００６９】
周辺領域ＮＡは表示領域ＡＡの外側に存在することができ、表示領域ＡＡを囲む形態であってもよい。
【００７０】
周辺領域ＮＡには、画素ＰＸＬ１、ＰＸＬ２、ＰＸＬ３を駆動するための構成要素（例えば、配線など）を配置することができる。周辺領域ＮＡには画素ＰＸＬ１、ＰＸＬ２、ＰＸＬ３が存在しないので、非活性領域（ｎｏｎ−ａｃｔｉｖｅ  ａｒｅａ）または非表示領域であってもよい。
【００７１】
表示領域ＡＡは、第１画素領域ＡＡ１、第２画素領域ＡＡ２および第３画素領域ＡＡ３を含むことができる。
【００７２】
第１画素領域ＡＡ１は第２画素領域ＡＡ２の一側に位置し、第３画素領域ＡＡ３は第２画素領域ＡＡ２の他側に位置することができる。すなわち、第２画素領域ＡＡ２は第１画素領域ＡＡ１と第３画素領域ＡＡ３との間に位置することができる。
【００７３】
第２画素領域ＡＡ２は、第１画素領域ＡＡ１および第３画素領域ＡＡ３と比べて大きな面積を有することができる。
【００７４】
第１画素領域ＡＡ１には第１画素ＰＸＬ１が含まれ、第２画素領域ＡＡ２には第２画素ＰＸＬ２が含まれ、第３画素領域ＡＡ３には第３画素ＰＸＬ３が含まれてもよい。
【００７５】
第１〜第３画素ＰＸＬ１、ＰＸＬ２、ＰＸＬ３は駆動部の制御により所定の輝度で発光することができ、このために第１〜第３画素ＰＸＬ１、ＰＸＬ２、ＰＸＬ３のそれぞれは発光素子（例えば、有機発光ダイオード）を含むことができる。
【００７６】
表示領域ＡＡの中心部に位置する第２画素領域ＡＡ２は、図１Ｃに図示された視認領域ＶＤＡに対応することができる。表示領域ＡＡの両側に位置する第１画素領域ＡＡ１および第３画素領域ＡＡ３は、図１Ｃに図示された非視認領域ＮＶＤＡに対応することができる。
【００７７】
表示装置１０が第１モードで駆動するとき、使用者は第１画素領域ＡＡ１および第３画素領域ＡＡ３で表示される映像は見ることができず、第２画素領域ＡＡ２で表示される映像のみを見ることができる。
【００７８】
このために、表示装置１０は、第２画素領域ＡＡ２に有効映像を表示することができ、第１および第３画素領域ＡＡ１、ＡＡ３にはダミー映像を表示することができる。
【００７９】
これとは違い、表示装置１０が第２モードで駆動するとき、使用者は第１〜第３画素領域ＡＡ１、ＡＡ２、ＡＡ３で表示される映像を見ることができる。
【００８０】
このために、表示装置１０は、第２モードで駆動するとき、第１〜第３画素領域ＡＡ１、ＡＡ２、ＡＡ３を含んだ表示領域ＡＡの全体に有効映像を表示することができる。
【００８１】
例えば、表示装置１０が第２モードで駆動するとき、第１〜第３画素領域ＡＡ１、ＡＡ２、ＡＡ３で表示される映像を連結して表示領域ＡＡの全体で一つの画面を表示することができる。
【００８２】
一方、図２では第１画素領域ＡＡ１、第２画素領域ＡＡ２および第３画素領域ＡＡ３の幅が同一のものとして図示されているが、本発明はこれに限定されるものではない。
【００８３】
例えば、第１画素領域ＡＡ１および／または第３画素領域ＡＡ３は、第２画素領域ＡＡ２から遠ざかるほど幅が狭くなる形状であってもよい。
【００８４】
または、第１画素領域ＡＡ１および／または第３画素領域ＡＡ３の幅が第２画素領域ＡＡ２の幅より狭くてもよい。この場合、第１画素領域ＡＡ１および／または第３画素領域ＡＡ３は、垂直方向または水平方向に沿って多数個が配置され得る。
【００８５】
図３は、本発明の一実施例に係る表示装置の構成を具体的に示す図面である。
【００８６】
図３を参照すると、本発明の一実施例に係る表示装置１０は、画素ＰＸＬ１、ＰＸＬ２、ＰＸＬ３と表示駆動部とを含むことができる。
【００８７】
表示駆動部は、第１走査駆動部２１１、第２走査駆動部２１２、第３走査駆動部２１３、データ駆動部２３０、第１発光駆動部３１１、第２発光駆動部３１２、第３発光駆動部３１３およびタイミング制御部２５０を含むことができる。
【００８８】
第１画素ＰＸＬ１は、第１ダミー走査線Ｓ１０、第１走査線Ｓ１１〜Ｓ１ｊおよびデータ線Ｄ１〜Ｄｍによって区画された第１画素領域ＡＡ１に位置することができる。
【００８９】
第１画素領域ＡＡ１の最初の水平ラインに位置した第１画素ＰＸＬ１は第１ダミー走査線Ｓ１０および最初の第１走査線Ｓ１１と接続され、二番目の水平ラインから最後の水平ラインに位置した第１画素ＰＸＬ１は隣接した第１走査線Ｓ１１〜Ｓ１ｊと接続され得る。例えば、ｉ（ｉは２以上の自然数）番目の水平ラインに位置した第１画素ＰＸＬ１には、ｉ番目の第１走査線Ｓ１ｉとｉ−１番目の第１走査線Ｓ１ｉ−１とが接続され得る。
【００９０】
このような第１画素ＰＸＬ１は、第１走査線Ｓ１１〜Ｓ１ｊから走査信号が供給されるとき、データ線Ｄ１〜Ｄｍからデータ信号の供給を受けることができる。
【００９１】
データ信号の供給を受けた第１画素ＰＸＬ１は、第１電源ＥＬＶＤＤから有機発光ダイオード（図示されず）を経由して第２電源ＥＬＶＳＳに流れる電流量を制御することができ、このとき、前記有機発光ダイオードは前記電流量に対応する輝度の光を生成することができる。
【００９２】
第２画素ＰＸＬ２は、第２ダミー走査線Ｓ２０、第２走査線Ｓ２１〜Ｓ２ｎおよびデータ線Ｄ１〜Ｄｍによって区画された第２画素領域ＡＡ２に位置することができる。
【００９３】
第２画素領域ＡＡ２の最初の水平ラインに位置した第２画素ＰＸＬ２は第２ダミー走査線Ｓ２０および最初の第２走査線Ｓ２１と接続され、二番目の水平ラインから最後の水平ラインに位置した第２画素ＰＸＬ２は隣接した第２走査線Ｓ２１〜Ｓ２ｎと接続され得る。例えば、ｉ番目の水平ラインに位置した第２画素ＰＸＬ２には、ｉ番目の第２走査線Ｓ２ｉとｉ−１番目の第２走査線Ｓ２ｉ−１とが接続され得る。
【００９４】
このような第２画素ＰＸＬ２は第２走査線Ｓ２１〜Ｓ２ｎから走査信号が供給されるとき、データ線Ｄ１〜Ｄｍからデータ信号の供給を受けることができる。
【００９５】
データ信号の供給を受けた第２画素ＰＸＬ２は、第１電源ＥＬＶＤＤから有機発光ダイオード（図示されず）を経由して第２電源ＥＬＶＳＳに流れる電流量を制御することができ、このとき、前記有機発光ダイオードは前記電流量に対応する輝度の光を生成することができる。
【００９６】
第３画素ＰＸＬ３は、第３ダミー走査線Ｓ３０、第３走査線Ｓ３１〜Ｓ３ｋおよびデータ線Ｄ１〜Ｄｍによって区画された第３画素領域ＡＡ３に位置することができる。
【００９７】
第３画素領域ＡＡ３の最初の水平ラインに位置した第３画素ＰＸＬ３は第３ダミー走査線Ｓ３０および最初の第３走査線Ｓ３１と接続され、二番目の水平ラインから最後の水平ラインに位置した第３画素ＰＸＬ３は隣接した第３走査線Ｓ３１〜Ｓ３ｋと接続され得る。例えば、ｉ番目の水平ラインに位置した第３画素ＰＸＬ３には、ｉ番目の第３走査線Ｓ３ｉとｉ−１番目の第３走査線Ｓ３ｉ−１とが接続され得る。
【００９８】
このような第３画素ＰＸＬ３は、第３走査線Ｓ３１〜Ｓ３ｋから走査信号が供給されるとき、データ線Ｄ１〜Ｄｍからデータ信号の供給を受けることができる。
【００９９】
データ信号の供給を受けた第３画素ＰＸＬ３は、第１電源ＥＬＶＤＤから有機発光ダイオード（図示されず）を経由して第２電源ＥＬＶＳＳに流れる電流量を制御することができ、このとき、前記有機発光ダイオードは前記電流量に対応する輝度の光を生成することができる。
【０１００】
本発明の実施例によると、第１画素領域ＡＡ１および第３画素領域ＡＡ３は第２画素領域ＡＡ２と比べて小さな面積を有することができる。
【０１０１】
この場合、第１画素ＰＸＬ１および第３画素ＰＸＬ３の個数は第２画素ＰＸＬ２より少なく設定され、第１走査線Ｓ１１〜Ｓ１ｊおよび第３走査線Ｓ３１〜Ｓ３ｋの個数は第２走査線Ｓ２１〜Ｓ２ｎより少なく設定され得る。
【０１０２】
表示装置１０が第２モードで駆動する場合、第１画素領域ＡＡ１、第２画素領域ＡＡ２および第３画素領域ＡＡ３で有効映像が表示され得る。すなわち、使用者は第１画素領域ＡＡ１、第２画素領域ＡＡ２および第３画素領域ＡＡ３で表示される映像を見ることができる。
【０１０３】
表示装置１０が第１モードで駆動する場合、第２画素領域ＡＡ２で有効映像が表示され、第１画素領域ＡＡ１および第３画素領域ＡＡ３はウェアラブル装置３０のフレーム３１によって遮られ得る。
【０１０４】
表示装置１０が第１モードで駆動する場合、第１画素領域ＡＡ１および第３画素領域ＡＡ３は使用者に視認されない領域に該当するので、第１画素領域ＡＡ１および第３画素領域ＡＡ３の映像表示動作を中断させることができる。
【０１０５】
このために、第１画素ＰＸＬ１および第３画素ＰＸＬ３に接続された第１走査線Ｓ１１〜Ｓ１ｊおよび第３走査線Ｓ３１〜Ｓ３ｋに走査信号を供給せず、第１画素ＰＸＬ１および第３画素ＰＸＬ３に別途のデータ信号を供給しなくてもよい。
【０１０６】
または、表示装置１０が第１モードで駆動する場合、第１画素領域ＡＡ１および第３画素領域ＡＡ３は使用者に視認されない領域に該当するので、第１画素領域ＡＡ１および第３画素領域ＡＡ３にダミー映像が表示されてもよい。
【０１０７】
このために、第１画素ＰＸＬ１および第３画素ＰＸＬ３に接続された第１走査線Ｓ１１〜Ｓ１ｊおよび第３走査線Ｓ３１〜Ｓ３ｋに走査信号を供給し、第１画素ＰＸＬ１および第３画素ＰＸＬ３にダミーデータ信号を供給することができる。
【０１０８】
第１走査駆動部２１１は、タイミング制御部２５０からの第１走査駆動部制御信号ＦＬＭ１、ＣＬＫ１、ＣＬＫ２に応じて、第１ダミー走査線Ｓ１０に第１ダミー走査信号を供給し、第１走査線Ｓ１１〜Ｓ１ｊに第１走査信号を供給することができる。
【０１０９】
例えば、第１走査駆動部２１１は、第１ダミー走査線Ｓ１０および第１走査線Ｓ１１〜Ｓ１ｊに第１ダミー走査信号と第１走査信号を順次供給することができる。第１ダミー走査信号と第１走査信号が順次供給されると、第１画素ＰＸＬ１が水平ライン単位で順次選択され得る。
【０１１０】
第２走査駆動部２１２は、タイミング制御部２５０からの第２走査駆動部制御信号ＦＬＭ２、ＣＬＫ１、ＣＬＫ２に応じて、第２ダミー走査線Ｓ２０に第２ダミー走査信号を供給し、第２走査線Ｓ２１〜Ｓ２ｎに第２走査信号を供給することができる。
【０１１１】
例えば、第２走査駆動部２１２は、第２ダミー走査線Ｓ２０および第２走査線Ｓ２１〜Ｓ２ｎに第２ダミー走査信号と第２走査信号を順次供給することができる。第２ダミー走査信号と第２走査信号が順次供給されると、第２画素ＰＸＬ２が水平ライン単位で順次選択され得る。
【０１１２】
第３走査駆動部２１３は、タイミング制御部２５０からの第３走査駆動部制御信号ＦＬＭ３、ＣＬＫ１、ＣＬＫ２に応じて、第３ダミー走査線Ｓ３０に第３ダミー走査信号を供給し、第３走査線Ｓ３１〜Ｓ１ｋに第３走査信号を供給することができる。
【０１１３】
例えば、第３走査駆動部２１３は、第３ダミー走査線Ｓ３０および第３走査線Ｓ３１〜Ｓ３ｋに第３ダミー走査信号と第３走査信号を順次供給することができる。第３ダミー走査信号と第３走査信号が順次供給されると、第３画素ＰＸＬ３が水平ライン単位で順次選択され得る。
【０１１４】
表示装置１０全体として、表示装置１０が第１モードまたは第２モードで駆動する場合、各フレーム期間ごとに、第１画素ＰＸＬ１、第２画素ＰＸＬ２、および第３画素ＰＸＬ３が水平ライン単位で順次選択され得る。
【０１１５】
第１発光駆動部３１１は、タイミング制御部２５０からの第１発光駆動部制御信号ＥＦＬＭ１、ＣＬＫ５、ＣＬＫ６に応じて、第１発光制御線Ｅ１１〜Ｅ１ｊに第１発光制御信号を供給することができる。
【０１１６】
例えば、第１発光駆動部３１１は、第１発光制御線Ｅ１１〜Ｅ１ｊに第１発光制御信号を順次供給することができる。
【０１１７】
第２発光駆動部３１２は、タイミング制御部２５０からの第２発光駆動部制御信号ＥＦＬＭ２、ＣＬＫ５、ＣＬＫ６に応じて、第２発光制御線Ｅ２１〜Ｅ２ｎに第２発光制御信号を供給することができる。
【０１１８】
例えば、第２発光駆動部３１２は、第２発光制御線Ｅ２１〜Ｅ２ｎに第２発光制御信号を順次供給することができる。
【０１１９】
第３発光駆動部３１３は、タイミング制御部２５０からの第３発光駆動部制御信号ＥＦＬＭ３、ＣＬＫ５、ＣＬＫ６に応じて、第３発光制御線Ｅ３１〜Ｅ３ｋに第３発光制御信号を供給することができる。
【０１２０】
例えば、第３発光駆動部３１３は、第３発光制御線Ｅ３１〜Ｅ３ｋに第３発光制御信号を順次供給することができる。
【０１２１】
一方、発光制御信号は、画素ＰＸＬ１、ＰＸＬ２、ＰＸＬ３に含まれるトランジスターがターン−オフされ得るように、ゲートオフ電圧（例えば、ハイ電圧）に設定され得る。また、走査信号は画素ＰＸＬ１、ＰＸＬ２、ＰＸＬ３に含まれるトランジスターがターン−オンされ得るようにゲートオン電圧（例えば、ロー電圧）に設定され得る。
【０１２２】
データ駆動部２３０は、データ制御信号ＤＣＳに応じてデータ線Ｄ１〜Ｄｍにデータ信号を供給することができる。
【０１２３】
データ線Ｄ１〜Ｄｍに供給されたデータ信号は、各走査信号によって選択された画素ＰＸＬ１、ＰＸＬ２、ＰＸＬ３に供給される。
【０１２４】
タイミング制御部２５０は、データ制御信号ＤＣＳをデータ駆動部２３０に供給することができる。また、タイミング制御部２５０は、外部から入力する映像データをデータ駆動部２３０の仕様に合う映像データＤＡＴＡに変換して、データ駆動部２３０に供給することができる。
【０１２５】
データ制御信号ＤＣＳには、ソース開始信号、ソース出力イネーブル信号、ソースサンプリングクロックなどが含まれ得る。ソース開始信号は、データ駆動部２３０のデータサンプリング開始時点を制御することができる。ソースサンプリングクロックは、立ち上がりまたは立ち下がりに基づいて、データ駆動部２３０のサンプリング動作を制御することができる。ソース出力イネーブル信号は、データ駆動部２３０の出力タイミングを制御することができる。
【０１２６】
タイミング制御部２５０は、外部から供給されるタイミング信号に基づいて生成された走査駆動部制御信号ＦＬＭ１、ＦＬＭ２、ＦＬＭ３、ＣＬＫ１、ＣＬＫ２を走査駆動部２１１、２１２、２１３に供給することができる。
【０１２７】
第１走査駆動部制御信号は、第１開始信号ＦＬＭ１およびクロック信号ＣＬＫ１、ＣＬＫ２を含むことができる。第１開始信号ＦＬＭ１は第１ダミー走査信号の供給タイミングを制御し、クロック信号ＣＬＫ１、ＣＬＫ２は第１開始信号ＦＬＭ１をシフトさせるために使用され得る。
【０１２８】
第２走査駆動部制御信号は、第２開始信号ＦＬＭ２およびクロック信号ＣＬＫ１、ＣＬＫ２を含むことができる。第２開始信号ＦＬＭ２は第２ダミー走査信号の供給タイミングを制御し、クロック信号ＣＬＫ１、ＣＬＫ２は第２開始信号ＦＬＭ２をシフトさせるために使用され得る。
【０１２９】
第３走査駆動部制御信号は、第３開始信号ＦＬＭ３およびクロック信号ＣＬＫ１、ＣＬＫ２を含むことができる。第３開始信号ＦＬＭ３は、第３ダミー走査信号の供給タイミングを制御し、クロック信号ＣＬＫ１、ＣＬＫ２は、第３開始信号ＦＬＭ３をシフトさせるために使用され得る。
【０１３０】
走査駆動部２１１、２１２、２１３には、同一のクロック信号ＣＬＫ１、ＣＬＫ２が供給され得る。
【０１３１】
タイミング制御部２５０は、外部から供給されるタイミング信号に基づいて生成された発光駆動部制御信号ＥＦＬＭ１、ＥＦＬＭ２、ＥＦＬＭ３、ＣＬＫ５、ＣＬＫ６を発光駆動部３１１、３１２、３１３に供給することができる。
【０１３２】
第１発光駆動部制御信号は、第４開始信号ＥＦＬＭ１およびクロック信号ＣＬＫ５、ＣＬＫ６を含むことができる。第４開始信号ＥＦＬＭ１は第１発光制御信号の供給タイミングを制御し、クロック信号ＣＬＫ５、ＣＬＫ６は第４開始信号ＥＦＬＭ１をシフトさせるために使用され得る。
【０１３３】
第２発光駆動部制御信号は、第５開始信号ＥＦＬＭ２およびクロック信号ＣＬＫ５、ＣＬＫ６を含むことができる。第５開始信号ＥＦＬＭ２は第２発光制御信号の供給タイミングを制御し、クロック信号ＣＬＫ５、ＣＬＫ６は第５開始信号ＥＦＬＭ２をシフトさせるために使用され得る。
【０１３４】
第３発光駆動部制御信号は、第６開始信号ＥＦＬＭ３およびクロック信号ＣＬＫ５、ＣＬＫ６を含むことができる。第６開始信号ＥＦＬＭ３は第３発光制御信号の供給タイミングを制御し、クロック信号ＣＬＫ５、ＣＬＫ６は第６開始信号ＥＦＬＭ３をシフトさせるために使用され得る。
【０１３５】
発光駆動部３１１、３１２、３１３には、同一のクロック信号ＣＬＫ５、ＣＬＫ６が供給され得る。
【０１３６】
一方、図３では第１発光駆動部３１１に第４開始信号ＥＦＬＭ１が供給され、第２発光駆動部３１２に第５開始信号ＥＦＬＭ２が供給され、第３発光駆動部３１３に第６開始信号ＥＦＬＭ３が供給されるものと図示されたが、本発明はこれに限定されるものではない。
【０１３７】
例えば、開始信号は第１発光駆動部３１１にのみ供給され、第２発光駆動部３１２は最後の第１発光制御線Ｅ１ｊの出力信号を開始信号として供給を受けてもよい。また、第３発光駆動部３１３は最後の第２発光制御線Ｅ２ｎの出力信号を開始信号として供給を受けてもよい。
【０１３８】
図３では走査駆動部２１１、２１２、２１３、発光駆動部３１１、３１２、３１３、データ駆動部２３０およびタイミング制御部２５０を個別的に図示したが、前記構成要素のうちの少なくとも一部は必要に応じて統合され得る。
【０１３９】
また、走査駆動部２１１、２１２、２１３、発光駆動部３１１、３１２、３１３、データ駆動部２３０およびタイミング制御部２５０は、チップオングラス（Ｃｈｉｐ  Ｏｎ  Ｇｌａｓｓ）、チップオンプラスチック（Ｃｈｉｐ  Ｏｎ  Ｐｌａｓｔｉｃ）、テープキャリアパッケージ（Ｔａｐｅ  Ｃａｒｒｉｅｒ  Ｐａｃｋａｇｅ）、チップオンフィルム（Ｃｈｉｐ  Ｏｎ  Ｆｉｌｍ）などのような多様な方式によって実現され得る。
【０１４０】
図４は、図３に図示された第１画素の一実施例を示した図面である。
【０１４１】
図４では説明の便宜のために、ｍ番目のデータ線Ｄｍおよびｉ番目の第１走査線Ｓ１ｉに接続された第１画素ＰＸＬ１を図示する。
【０１４２】
図４を参照すると、本発明の実施例に係る第１画素ＰＸＬ１は、有機発光ダイオードＯＬＥＤ、第１トランジスターＴ１〜第７トランジスターＴ７およびストレージキャパシタＣｓｔを含むことができる。
【０１４３】
有機発光ダイオードＯＬＥＤのアノードは第６トランジスターＴ６を経由して第１トランジスターＴ１に接続され、カソードは第２画素電源ＥＬＶＳＳに接続され得る。このような有機発光ダイオードＯＬＥＤは第１トランジスターＴ１から供給される電流量に応じて所定輝度の光を生成することができる。
【０１４４】
有機発光ダイオードＯＬＥＤに電流が流れ得るように、第１画素電源ＥＬＶＤＤは第２画素電源ＥＬＶＳＳより高い電圧に設定され得る。
【０１４５】
第７トランジスターＴ７は、初期化電源Ｖｉｎｔと有機発光ダイオードＯＬＥＤのアノードとの間に接続され得る。そして、第７トランジスターＴ７のゲート電極は、ｉ＋１番目の第１走査線Ｓ１ｉ＋１に接続され得る。このような第７トランジスターＴ７は、ｉ＋１番目の第１走査線Ｓ１ｉ＋１に走査信号が供給されるときにターン−オンされて、初期化電源Ｖｉｎｔの電圧を有機発光ダイオードＯＬＥＤのアノードに供給することができる。ここで、初期化電源Ｖｉｎｔはデータ信号より低い電圧に設定され得る。
【０１４６】
一方、図４では第７トランジスターＴ７のゲート電極にｉ＋１番目の第１走査線Ｓ１ｉ＋１が接続されるものと図示されているが、本発明はこれに限定されるものではない。例えば、第７トランジスターＴ７のゲート電極はｉ番目の第１走査線Ｓ１ｉに接続されてもよく、ｉ−１番目の第１走査線Ｓ１ｉ−１に接続されてもよい。
【０１４７】
第６トランジスターＴ６は、第１トランジスターＴ１と有機発光ダイオードＯＬＥＤとの間に接続され得る。そして、第６トランジスターＴ６のゲート電極はｉ番目の第１発光制御線Ｅ１ｉに接続され得る。このような第６トランジスターＴ６はｉ番目の第１発光制御線Ｅ１ｉに発光制御信号が供給されるときにターン−オフされ、それ以外の場合にターン−オンされ得る。
【０１４８】
第５トランジスターＴ５は、第１画素電源ＥＬＶＤＤと第１トランジスターＴ１との間に接続され得る。そして、第５トランジスターＴ５のゲート電極はｉ番目の第１発光制御線Ｅ１ｉに接続され得る。このような第５トランジスターＴ５はｉ番目の第１発光制御線Ｅ１ｉに発光制御信号が供給される時にターン−オフされ、それ以外の場合にターン−オンされ得る。
【０１４９】
第１トランジスター（Ｔ１；駆動トランジスター）の第１電極は第５トランジスターＴ５を経由して第１画素電源ＥＬＶＤＤに接続され、第２電極は第６トランジスターＴ６を経由して有機発光ダイオードＯＬＥＤのアノードに接続され得る。そして、第１トランジスターＴ１のゲート電極は第１０ノードＮ１０に接続され得る。このような第１トランジスターＴ１は第１０ノードＮ１０の電圧に応じて第１画素電源ＥＬＶＤＤから有機発光ダイオードＯＬＥＤを経由して第２画素電源ＥＬＶＳＳに流れる電流量を制御することができる。
【０１５０】
第３トランジスターＴ３は、第１トランジスターＴ１の第２電極と第１０ノードＮ１０との間に接続され得る。そして、第３トランジスターＴ３のゲート電極は、ｉ番目の第１走査線Ｓ１ｉに接続され得る。このような第３トランジスターＴ３は、ｉ番目の第１走査線Ｓ１ｉに走査信号が供給されるときにターン−オンされて、第１トランジスターＴ１の第２電極と第１０ノードＮ１０とを電気的に接続させることができる。したがって、第３トランジスターＴ３がターン−オンされるとき、第１トランジスターＴ１はダイオードの形態で接続され得る。
【０１５１】
第４トランジスターＴ４は、第１０ノードＮ１０と初期化電源Ｖｉｎｔとの間に接続され得る。そして、第４トランジスターＴ４のゲート電極は、ｉ−１番目の第１走査線Ｓ１ｉ−１に接続され得る。このような第４トランジスターＴ４は、ｉ−１番目の第１走査線Ｓ１ｉ−１に走査信号が供給されるときにターン−オンされて、第１０ノードＮ１０に初期化電源Ｖｉｎｔの電圧を供給することができる。
【０１５２】
一方、図４に図示された第１画素ＰＸＬ１が第１画素領域ＡＡ１の最初の水平ラインに位置する場合、第４トランジスターＴ４のゲート電極は、ｉ−１番目の第１走査線Ｓ１ｉ−１に対応するものであり、第１ダミー走査線Ｓ１０に接続され得る。
【０１５３】
第２トランジスターＴ２は、ｍ番目のデータ線Ｄｍと第１トランジスターＴ１の第１電極との間に接続され得る。そして、第２トランジスターＴ２のゲート電極は、ｉ番目の第１走査線Ｓ１ｉに接続され得る。このような第２トランジスターＴ２は、ｉ番目の第１走査線Ｓ１ｉに走査信号が供給されるときにターン−オンされて、ｍ番目のデータ線Ｄｍと第１トランジスターＴ１の第１電極とを電気的に接続させることができる。
【０１５４】
ストレージキャパシタＣｓｔは、第１画素電源ＥＬＶＤＤと第１０ノードＮ１０との間に接続されてもよい。このようなストレージキャパシタＣｓｔは、データ信号および第１トランジスターＴ１の閾値電圧に対応する電圧を貯蔵することができる。
【０１５５】
一方、第２画素ＰＸＬ２および第３画素ＰＸＬ３は、第１画素ＰＸＬ１と同じ回路で実現され得る。したがって、第２画素ＰＸＬ２および第３画素ＰＸＬ３に対する詳細な説明は省略する。
【０１５６】
また、図４で説明された画素の構造は、三個の走査線と発光制御線を利用する一例に過ぎないため、本発明の画素ＰＸＬ１、ＰＸＬ２、ＰＸＬ３は前記画素の構造に限定されるものではない。実際、画素は有機発光ダイオードＯＬＥＤに電流を供給できる回路構造を有し、現在公知である多様な構造のうちのいずれかを選択してもよい。
【０１５７】
本発明において、有機発光ダイオードＯＬＥＤは、駆動トランジスターから供給される電流量に応じて赤色、緑色および青色を含む多様な光を生成できるが、これに限定されない。例えば、有機発光ダイオードＯＬＥＤは、駆動トランジスターから供給される電流量に応じて白色光を生成することもできる。この場合、別途のカラーフィルターなどを利用してカラー映像を表示することができる。
【０１５８】
図５は、図４に図示された第１画素の駆動方法を説明するための図面である。
【０１５９】
まず、ｉ番目の第１発光制御線Ｅ１ｉに発光制御信号Ｆ１ｉが供給される。ｉ番目の第１発光制御線Ｅ１ｉに発光制御信号Ｆ１ｉが供給されると、第５トランジスターＴ５および第６トランジスターＴ６がターン−オフされる。このとき、第１画素ＰＸＬ１は非発光状態になり得る。
【０１６０】
以後、ｉ−１番目の第１走査線Ｓ１ｉ−１に走査信号Ｇ１ｉ−１が供給されて第４トランジスターＴ４がターン−オンされる。第４トランジスターＴ４がターン−オンされると、初期化電源Ｖｉｎｔの電圧が第１０ノードＮ１０に供給される。そうすると、第１０ノードＮ１０は初期化電源Ｖｉｎｔの電圧に初期化され得る。
【０１６１】
第１０ノードＮ１０が初期化電源Ｖｉｎｔの電圧に初期化された後、ｉ番目の第１走査線Ｓ１ｉに走査信号Ｇ１ｉが供給される。ｉ番目の第１走査線Ｓ１ｉに走査信号Ｇ１ｉが供給されると、第２トランジスターＴ２および第３トランジスターＴ３がターン−オンされる。
【０１６２】
第３トランジスターＴ３がターン−オンされると、第１トランジスターＴ１がダイオードの形態で接続される。
【０１６３】
第２トランジスターＴ２がターン−オンされると、ｍ番目のデータ線Ｄｍからのデータ信号が第１トランジスターＴ１の第１電極に供給される。このとき、第１０ノードＮ１０がデータ信号より低い初期化電源Ｖｉｎｔの電圧に初期化されたので、第１トランジスターＴ１がターン−オンされ得る。第１トランジスターＴ１がターン−オンされると、データ信号から第１トランジスターＴ１の閾値電圧を引いた電圧が第１０ノードＮ１０に印加される。ストレージキャパシタＣｓｔは第１０ノードＮ１０に印加されたデータ信号および第１トランジスターＴ１の閾値電圧に対応する電圧を貯蔵する。
【０１６４】
以後、ｉ＋１番目の第１走査線Ｓ１ｉ＋１に走査信号Ｇ１ｉ＋１が供給される。ｉ＋１番目の第１走査線Ｓ１ｉ＋１に走査信号Ｇ１ｉ＋１が供給されると、第７トランジスターＴ７がターン−オンされる。
【０１６５】
第７トランジスターＴ７がターン−オンされると、初期化電源Ｖｉｎｔの電圧が有機発光ダイオードＯＬＥＤのアノード電極に供給される。そうすると、有機発光ダイオードＯＬＥＤに寄生的に形成された寄生キャパシタが放電され、これにより、ブラック表現能力を向上させることができる。
【０１６６】
この後、ｉ番目の第１発光制御線Ｅ１ｉに発光制御信号Ｆ１ｉの供給が中断される。
【０１６７】
ｉ番目の第１発光制御線Ｅ１ｉに発光制御信号Ｆ１ｉの供給が中断されると、第５トランジスターＴ５および第６トランジスターＴ６がターン−オンされる。そうすると、第１電源ＥＬＶＤＤから第５トランジスターＴ５、第１トランジスターＴ１、第６トランジスターＴ６および有機発光ダイオードＯＬＥＤを経由して第２電源ＥＬＶＳＳに続く電流経路が形成される。
【０１６８】
このとき、第１トランジスターＴ１は、第１０ノードＮ１０の電圧に応じて第１電源ＥＬＶＤＤから有機発光ダイオードＯＬＥＤを経由して第２電源ＥＬＶＳＳに流れる電流量を制御する。有機発光ダイオードＯＬＥＤは、第１トランジスターＴ１から供給される電流量に応じて所定輝度の光を生成する。
【０１６９】
実際、第１画素ＰＸＬ１は、前述した過程を繰り返しながら所定輝度の光を生成することができる。また、第２画素ＰＸＬ２および第３画素ＰＸＬ３も、第１画素ＰＸＬ１と同じ方式で駆動され得る。
【０１７０】
ｉ番目の第１発光制御線Ｅ１ｉに供給される発光制御信号Ｆ１ｉは、データ信号が画素ＰＸＬ１、ＰＸＬ２、ＰＸＬ３に充電される期間の間画素ＰＸＬ１、ＰＸＬ２、ＰＸＬ３が非発光状態となるように、少なくとも一つの走査信号と重なるように供給され得る。このような発光制御信号Ｆ１ｉの供給タイミングは多様な形態に変化され得る。
【０１７１】
図６は、図３に図示された走査駆動部の構成をより詳しく示した図面である。
【０１７２】
図６を参照すると、第１走査駆動部２１１は第１ダミーステージＤＳＴ１０と第１走査ステージＳＳＴ１１〜ＳＳＴ１ｊとを含むことができる。
【０１７３】
第１ダミーステージＤＳＴ１０は、最初の第１走査ステージＳＳＴ１１の前段に位置することができる。
【０１７４】
第１ダミーステージＤＳＴ１０は、第１ダミー走査線Ｓ１０の一端に接続され、第１ダミー走査線Ｓ１０を通じて第１ダミー走査信号Ｇ１０を供給することができる。
【０１７５】
第１走査ステージＳＳＴ１１〜ＳＳＴ１ｊは、それぞれ第１走査線Ｓ１１〜Ｓ１ｊの一端に接続され、これを通じて第１走査線Ｓ１１〜Ｓ１ｊに第１走査信号Ｇ１１〜Ｇ１ｊを供給することができる。
【０１７６】
第１ダミーステージＤＳＴ１０は、第１ダミー走査線Ｓ１０を通じて第１画素領域ＡＡ１の最初の水平ラインに位置した第１画素ＰＸＬ１と接続され得る。特に、第１ダミーステージＤＳＴ１０は、図４に図示された第１画素ＰＸＬ１の第４トランジスターＴ４のゲート電極と接続され得る。
【０１７７】
このとき、最初の第１走査ステージＳＳＴ１１は、最初の第１走査線Ｓ１１を通じて第１画素領域ＡＡ１の最初の水平ラインに位置した第１画素ＰＸＬ１と接続され、特に図４に図示された第１画素ＰＸＬ１の第２トランジスターＴ２と第３トランジスターＴ３のゲート電極とに接続され得る。
【０１７８】
また、二番目の第１ステージＳＳＴ１２は、二番目の第１走査線Ｓ１２を通じて第１画素領域ＡＡ１の最初の水平ラインに位置した第１画素ＰＸＬ１と接続され、特に図４に図示された第１画素ＰＸＬ１の第７トランジスターＴ７のゲート電極に接続され得る。
【０１７９】
第１ダミーステージＤＳＴ１０と第１走査ステージＳＳＴ１１〜ＳＳＴ１ｊとは、タイミング制御部２５０から供給されるクロック信号ＣＬＫ１、ＣＬＫ２に応じて動作することができる。また、第１ダミーステージＤＳＴ１０と第１走査ステージＳＳＴ１１〜ＳＳＴ１ｊとは、同じ回路で実現され得る。
【０１８０】
第１ダミーステージＤＳＴ１０は、タイミング制御部２５０から供給される第１開始信号ＦＬＭ１の供給を受けることができる。また、第１走査ステージＳＳＴ１１〜ＳＳＴ１ｊは、第１ダミーステージＤＳＴ１０または前段の走査ステージの出力信号（すなわち、走査信号）の供給を受けることができる。
【０１８１】
例えば、最初の第１走査ステージＳＳＴ１１は、第１ダミーステージＤＳＴ１０の出力信号Ｇ１０の供給を受け、残りの第１走査ステージＳＳＴ１２〜ＳＳＴ１ｊは前段の走査ステージの出力信号（すなわち、第１走査信号）の供給を受けることができる。
【０１８２】
次に、第２走査駆動部２１２は、第２ダミーステージＤＳＴ２０と第２走査ステージＳＳＴ２１〜ＳＳＴ２ｎとを含むことができる。
【０１８３】
第２ダミーステージＤＳＴ２０は、最初の第２走査ステージＳＳＴ２１の前段に位置することができる。すなわち、第２ダミーステージＤＳＴ２０は最後の第１走査ステージＳＳＴ１ｊと最初の第２走査ステージＳＳＴ２１との間に位置することができる。
【０１８４】
第２ダミーステージＤＳＴ２０は、第２ダミー走査線Ｓ２０の一端に接続され、第２ダミー走査線Ｓ２０を通じて第２ダミー走査信号Ｇ２０を供給することができる。
【０１８５】
第２走査ステージＳＳＴ２１〜ＳＳＴ２ｎは、それぞれ第２走査線Ｓ２１〜Ｓ２ｎの一端に接続され、これを通じて第２走査線Ｓ２１〜Ｓ２ｎに第２走査信号Ｇ２１〜Ｇ２ｎを供給することができる。
【０１８６】
第２ダミーステージＤＳＴ２０は、第２ダミー走査線Ｓ２０を通じて第２画素領域ＡＡ２の最初の水平ラインに位置した第２画素ＰＸＬ２と接続され得る。第２画素ＰＸＬ２は図４に図示された第１画素ＰＸＬ１と同じ構成を有するので、第２ダミーステージＤＳＴ２０は第２画素ＰＸＬ２に含まれた第４トランジスターのゲート電極と接続され得る。
【０１８７】
本発明の実施例によると、第２走査ステージＳＳＴ２１〜ＳＳＴ２ｎの前段に第２ダミーステージＤＳＴ２０を含ませることによって、第２画素領域ＡＡ２の最初の水平ラインに位置した第２画素ＰＸＬ２が最後の第１走査ステージＳＳＴ１ｊと接続されないようにすることができる。
【０１８８】
一方、最初の第２走査ステージＳＳＴ２１は、最初の第２走査線Ｓ２１を通じて第２画素領域ＡＡ２の最初の水平ラインに位置した第２画素ＰＸＬ２と接続され、第２画素ＰＸＬ２の第２トランジスターと第３トランジスターのゲート電極とに接続され得る。
【０１８９】
第２ダミーステージＤＳＴ２０と第２走査ステージＳＳＴ２１〜ＳＳＴ２ｎとは、タイミング制御部２５０から供給されるクロック信号ＣＬＫ１、ＣＬＫ２に応じて動作することができる。また、第２ダミーステージＤＳＴ２０と第２走査ステージＳＳＴ２１〜ＳＳＴ２ｎとは、同じ回路で実現され得る。
【０１９０】
第２ダミーステージＤＳＴ２０は、タイミング制御部２５０から供給される第２開始信号ＦＬＭ２の供給を受けることができる。また、第２走査ステージＳＳＴ２１〜ＳＳＴ２ｎは、第２ダミーステージＤＳＴ２０または前段の走査ステージの出力信号（すなわち、第２走査信号）の供給を受けることができる。
【０１９１】
例えば、最初の第２走査ステージＳＳＴ２１は、第２ダミーステージＤＳＴ２０の出力信号Ｇ２０の供給を受け、残りの第２走査ステージＳＳＴ２２〜ＳＳＴ２ｎは前段の走査ステージの出力信号の供給を受けることができる。
【０１９２】
次に、第３走査駆動部２１３は、第３ダミーステージＤＳＴ３０と第３走査ステージＳＳＴ３１〜ＳＳＴ３ｋとを含むことができる。
【０１９３】
第３ダミーステージＤＳＴ３０は、最初の第３走査ステージＳＳＴ３１の前段に位置することができる。すなわち、第３ダミーステージＤＳＴ３０は最後の第２走査ステージＳＳＴ２ｎと最初の第３走査ステージＳＳＴ３１との間に位置することができる。
【０１９４】
第３ダミーステージＤＳＴ３０は、第３ダミー走査線Ｓ３０の一端に接続され、第３ダミー走査線Ｓ３０を通じて第３ダミー走査信号Ｇ３０を供給することができる。
【０１９５】
第３走査ステージＳＳＴ３１〜ＳＳＴ３ｋは、それぞれ第３走査線Ｓ３１〜Ｓ３ｋの一端に接続され、これを通じて第３走査線Ｓ３１〜Ｓ３ｋに第３走査信号Ｇ３１〜Ｇ３ｋを供給することができる。
【０１９６】
第３ダミーステージＤＳＴ３０は、第３ダミー走査線Ｓ３０を通じて第３画素領域ＡＡ３の最初の水平ラインに位置した第３画素ＰＸＬ３と接続され得る。第３画素ＰＸＬ３は、図４に図示された第１画素ＰＸＬ１と同じ構成を有するので、第３ダミーステージＤＳＴ３０は第３画素ＰＸＬ３に含まれた第４トランジスターのゲート電極と接続され得る。
【０１９７】
本発明の実施例によると、第３走査ステージＳＳＴ３１〜ＳＳＴ３ｋの前段に第３ダミーステージＤＳＴ３０を含ませることによって、第３画素領域ＡＡ３の最初の水平ラインに位置した第３画素ＰＸＬ３が最後の第２走査ステージＳＳＴ２ｎと接続されないようにすることができる。
【０１９８】
一方、最初の第３走査ステージＳＳＴ３１は最初の第３走査線Ｓ３１を通じて第３画素領域ＡＡ３の最初の水平ラインに位置した第３画素ＰＸＬ３と接続され、第３画素ＰＸＬ３の第２トランジスターと第３トランジスターのゲート電極に接続され得る。
【０１９９】
第３ダミーステージＤＳＴ３０と第３走査ステージＳＳＴ３１〜ＳＳＴ３ｋとは、タイミング制御部２５０から供給されるクロック信号ＣＬＫ１、ＣＬＫ２に応じて動作することができる。また、第３ダミーステージＤＳＴ３０と第３走査ステージＳＳＴ３１〜ＳＳＴ３ｋとは、同じ回路で実現され得る。
【０２００】
第３ダミーステージＤＳＴ３０は、タイミング制御部２５０から供給される第３開始信号ＦＬＭ３の供給を受けることができる。また、第３走査ステージＳＳＴ３１〜ＳＳＴ３ｋは、第３ダミーステージＤＳＴ３０または前段の走査ステージの出力信号（すなわち、第３走査信号）の供給を受けることができる。
【０２０１】
例えば、最初の第３走査ステージＳＳＴ３１は第３ダミーステージＤＳＴ３０の出力信号Ｇ３０の供給を受け、残りの第３走査ステージＳＳＴ３２〜ＳＳＴ３ｋは前段の走査ステージの出力信号の供給を受けることができる。
【０２０２】
一方、図３および図６にはクロック信号が第１クロック信号と第２クロック信号を含むものと図示されたが、本発明はこれに限定されず、走査駆動部２１１、２１２、２１３に供給されるクロック信号の個数は多様に変更され得る。
【０２０３】
図７Ａは、図３に図示された表示装置が第２モードで駆動するときに走査駆動部から出力する走査信号の出力タイミングを説明するための波形図であり、図７Ｂは、図３に図示された表示装置が第２モードで駆動するときに表示領域に供給される走査信号の供給順序を説明するための図面である。
【０２０４】
まず、図７Ａを参照すると、表示装置１０が第２モードで駆動するときにタイミング制御部２５０は、第１ダミーステージＤＳＴ１０に第１開始信号ＦＬＭ１を、第２ダミーステージＤＳＴ２０に第２開始信号ＦＬＭ２を、第３ダミーステージＤＳＴ３０に第３開始信号ＦＬＭ３を順次供給することができる。
【０２０５】
ここで、第１開始信号ＦＬＭ１、第２開始信号ＦＬＭ２および第３開始信号ＦＬＭ３の供給タイミングは、第１走査信号Ｇ１１〜Ｇ１ｊ、第２走査信号Ｇ２１〜Ｇ２ｎおよび第３走査信号Ｇ３１〜Ｇ３ｋが順次供給されるように設定され得る。
【０２０６】
また、第１開始信号ＦＬＭ１、第２開始信号ＦＬＭ２および第３開始信号ＦＬＭ３は同じ幅を有し得その幅は変更され得る。
【０２０７】
第１開始信号ＦＬＭ１が供給されると、第１ダミー走査信号Ｇ１０および第１走査信号Ｇ１１〜Ｇ１ｊが順次出力され得る。
【０２０８】
具体的には、第１ダミーステージＤＳＴ１０はクロック信号ＣＬＫ１、ＣＬＫ２に応じて第１開始信号ＦＬＭ１をシフトすることによって第１ダミー走査信号Ｇ１０を出力することができる。
【０２０９】
次に、最初の第１走査ステージＳＳＴ１１は第１ダミー走査信号Ｇ１０をシフトすることによって最初の第１走査信号Ｇ１１を出力することができる。残りの第１走査信号Ｇ１２〜Ｇ１ｊも前述した方式により順次出力され得る。
【０２１０】
第２開始信号ＦＬＭ２が供給されると、第２ダミー走査信号Ｇ２０および第２走査信号Ｇ２１〜Ｇ２ｎが順次出力され得る。具体的には、第２ダミーステージＤＳＴ２０は、クロック信号ＣＬＫ１、ＣＬＫ２に応じて第２開始信号ＦＬＭ２をシフトすることによって、第２ダミー走査信号Ｇ２０を出力することができる。
【０２１１】
このとき、第２ダミー走査信号Ｇ２０と最後の第１走査信号Ｇ１ｊとが重なるように、第２開始信号ＦＬＭ２の出力タイミングが設定され得る。
【０２１２】
次に、最初の第２走査ステージＳＳＴ２１は、第２ダミー走査信号Ｇ２０をシフトすることによって、最初の第２走査信号Ｇ２１を出力することができる。残りの第２走査信号Ｇ２２〜Ｇ２ｎも前述した方式により順次出力され得る。
【０２１３】
第３開始信号ＦＬＭ３が供給されると、第３ダミー走査信号Ｇ３０および第３走査信号Ｇ３１〜Ｇ３ｋが順次出力され得る。具体的には、第３ダミーステージＤＳＴ３０は、クロック信号ＣＬＫ１、ＣＬＫ２に応じて第３開始信号ＦＬＭ３をシフトすることによって第３ダミー走査信号Ｇ３０を出力することができる。
【０２１４】
このとき、第３ダミー走査信号Ｇ３０と最後の第２走査信号Ｇ２ｎとが重なるように、第３開始信号ＦＬＭ３の出力タイミングが設定され得る。
【０２１５】
次に、最初の第３走査ステージＳＳＴ３１は、第３ダミー走査信号Ｇ３０をシフトすることによって、最初の第３走査信号Ｇ３１を出力することができる。残りの第３走査信号Ｇ３２〜Ｇ３ｋも前述した方式により順次出力され得る。
【０２１６】
これにより、図７Ｂに図示された通り、一つの画面を表示するための一つのフレーム期間の間、第１画素領域ＡＡ１の各水平ラインの第１画素ＰＸＬ１、第２画素領域ＡＡ２の各水平ラインの第２画素ＰＸＬ２および第３画素領域ＡＡ３の各水平ラインの第３画素ＰＸＬ３が順次選択され、有効映像に対応するデータ信号の供給を受けることができる。
【０２１７】
図８Ａは、図３に図示された表示装置が第１モードで駆動するときに走査駆動部から出力する走査信号の出力タイミングを説明するための波形図であり、図８Ｂは、図３に図示された表示装置が第１モードで駆動するときに表示領域に供給される走査信号の供給順序を説明するための図面である。
【０２１８】
表示装置１０が第１モードで駆動するときにタイミング制御部２５０は、第１ダミーステージＤＳＴ１０に第１開始信号ＦＬＭ１を、第２ダミーステージＤＳＴ２０に第２開始信号ＦＬＭ２を、第３ダミーステージＤＳＴ３０に第３開始信号ＦＬＭ３を供給するものの、供給順序は第２モードのときと異なり得る。
【０２１９】
すなわち、タイミング制御部２５０は、第２走査信号Ｇ２１〜Ｇ２ｎが順次供給される間、第１走査信号Ｇ１１〜Ｇ１ｊおよび第３走査信号Ｇ３１〜Ｇ３ｋが供給されるように、第１開始信号ＦＬＭ１、第２開始信号ＦＬＭ２および第３開始信号ＦＬＭ３の供給順序を設定することができる。
【０２２０】
第１走査信号Ｇ１１〜Ｇ１ｊが供給される期間は、第２走査信号Ｇ２１〜Ｇ２ｎが供給される期間中の一部と重なり、第３走査信号Ｇ３１〜Ｇ３ｋが供給される期間は、第２走査信号Ｇ２１〜Ｇ２ｎが供給される期間中の一部と重なるように、第１開始信号ＦＬＭ１、第２開始信号ＦＬＭ２および第３開始信号ＦＬＭ３の供給順序が設定され得る。
【０２２１】
このとき、第１走査信号Ｇ１１〜Ｇ１ｋおよび第３走査信号Ｇ３１〜Ｇ３ｋが供給される期間は互いに重なってもよく、重なっていなくてもよい。
【０２２２】
図８Ａを参照すると、第１開始信号ＦＬＭ１が供給されると、第１ダミー走査信号Ｇ１０および第１走査信号Ｇ１１〜Ｇ１ｊが順次出力され得る。
【０２２３】
具体的には、第１ダミーステージＤＳＴ１０は、クロック信号ＣＬＫ１、ＣＬＫ２に応じて第１開始信号ＦＬＭ１をシフトすることによって第１ダミー走査信号Ｇ１０を出力することができる。
【０２２４】
次に、最初の第１走査ステージＳＳＴ１１は、第１ダミー走査信号Ｇ１０をシフトすることによって最初の第１走査信号Ｇ１１を出力することができる。残りの第１走査信号Ｇ１２〜Ｇ１ｊも前述した方式により順次出力され得る。
【０２２５】
このとき、第１画素ＰＸＬ１にはダミーデータ信号が供給され、これにより、第１画素領域ＡＡ１にはダミー映像が表示され得る。ダミー映像は、第２画素領域ＡＡ２に表示される有効映像のうちの一部であってもよい。
【０２２６】
第２開始信号ＦＬＭ２は、第１開始信号ＦＬＭ１と同時に供給され得る。
【０２２７】
第２開始信号ＦＬＭ２が供給されると、第２ダミー走査信号Ｇ２０および第２走査信号Ｇ２１〜Ｇ２ｎが順次出力され得る。具体的には、第２ダミーステージＤＳＴ２０はクロック信号ＣＬＫ１、ＣＬＫ２に応じて第２開始信号ＦＬＭ２をシフトすることによって第２ダミー走査信号Ｇ２０を出力することができる。
【０２２８】
次に、最初の第２走査ステージＳＳＴ２１は、第２ダミー走査信号Ｇ２０をシフトすることによって、最初の第２走査信号Ｇ２１を出力することができる。残りの第２走査信号Ｇ２２〜Ｇ２ｎも前述した方式により順次出力され得る。
【０２２９】
第２開始信号ＦＬＭ２と第１開始信号ＦＬＭ１とが同時に供給されることによって、第１走査信号Ｇ１１〜Ｇ１ｊと第２走査信号中の一部Ｇ２１〜Ｇ２ｎとが同時に出力され得る。
【０２３０】
前述した通り、表示装置１０が第１モードで駆動する場合には、第１走査信号Ｇ１１〜Ｇ１ｊがすべて供給された後に第２走査信号Ｇ２１〜Ｇ２ｎが供給されない。すなわち、最後の第１走査信号Ｇ１ｊと最初の第２走査信号Ｇ２１とが順次供給されない。
【０２３１】
もし、第２画素領域ＡＡ２の最初の水平ラインに位置した第２画素ＰＸＬ２に最後の第１走査線Ｓ１ｊが接続されると、第２画素領域ＡＡ２の最初の水平ラインに位置した第２画素ＰＸＬ２が最後の第１走査信号Ｇ１ｊによる影響を受けることになる。
【０２３２】
すなわち、第２画素領域ＡＡ２に第２走査信号Ｇ２１〜Ｇ２ｎが供給される途中で、最初の水平ラインに位置した第２画素ＰＸＬ２に最後の第１走査信号Ｇ１ｊが供給され、これによって第２画素領域ＡＡ２の最初の水平ラインに明線または暗線が表示される問題点が発生し得る。また、これは第１モードから第２モードに変更するときに第１画素領域ＡＡ１と第２画素領域ＡＡ２との間の境界線に残像として残り得る。前述した問題点は第２画素領域ＡＡ２と第３画素領域ＡＡ３との間の境界線にも発生し得る。
【０２３３】
本発明の実施例に係る場合、第２画素領域ＡＡ２の最初の水平ラインに位置した第２画素ＰＸＬ２に最後の第１走査線Ｓ１ｊを接続せずに第２ダミー走査線Ｓ２０を接続することによって、第２画素領域ＡＡ２の最初の水平ラインに位置した第２画素ＰＸＬ２は最後の第１走査信号による影響を受けなくなり、したがって前述した問題点を解決することができる。
【０２３４】
また、第３画素領域ＡＡ３の最初の水平ラインに位置した第３画素ＰＸＬ３に最後の第３走査線Ｓ２ｎを接続せずに第３ダミー走査線Ｓ３０を接続することによって、前述した問題点を解決することができる。
【０２３５】
第３開始信号ＦＬＭ３が供給されると、第３ダミー走査信号Ｇ３０および第３走査信号Ｇ３１〜Ｇ３ｋが順次出力され得る。具体的には、第３ダミーステージＤＳＴ３０はクロック信号ＣＬＫ１、ＣＬＫ２に応じて第３開始信号ＦＬＭ３をシフトすることによって第３ダミー走査信号Ｇ３０を出力することができる。
【０２３６】
このとき、最後の第３走査信号Ｇ３ｋと最後の第２走査信号Ｇ２ｎとが同時に出力されるように、第３開始信号ＦＬＭ３の出力タイミングが設定され得る。
【０２３７】
次に、最初の第３走査ステージＳＳＴ３１は、第３ダミー走査信号Ｇ３０をシフトすることによって、最初の第３走査信号Ｇ３１を出力することができる。残りの第３走査信号Ｇ３２〜Ｇ３ｋも前述した方式により順次出力され得る。
【０２３８】
第３走査信号Ｇ３１〜Ｇ３ｋと第２走査信号中の一部Ｇ２ｎ−ｋ＋１〜Ｇ２ｎとが同時に出力され得る。
【０２３９】
このとき、第３画素ＰＸＬ３にはダミーデータ信号が供給され、これにより、第３画素領域ＡＡ３にはダミー映像が表示され得る。ダミー映像は、第２画素領域ＡＡ２に表示される有効映像のうちの一部であってもよい。
【０２４０】
第１画素領域ＡＡ１および第３画素領域ＡＡ３に表示されるダミー映像は同一でもよく、異なってもよい。
【０２４１】
一方、表示装置１０が第１モードで駆動するとき、第１開始信号ＦＬＭ１、第２開始信号ＦＬＭ２および第３開始信号ＦＬＭ３の供給タイミングは図８Ａに図示されたものに限定されるものではない。
【０２４２】
すなわち、第１開始信号ＦＬＭ１および第３開始信号ＦＬＭ３の供給タイミングは、第２走査信号Ｇ２１〜Ｇ２ｎが出力される期間内で多様に変更可能である。
【０２４３】
図９は、本発明の他の実施例による表示装置の構成を具体的に示す図面であり、図１０は、図９に図示された走査駆動部の構成を示した図面である。
【０２４４】
図９および図１０に図示された第１走査駆動部２１１および第２走査駆動部２１２は、図３および図６に図示された第１走査駆動部２１１および第２走査駆動部２１２と同じ構成で実現され得る。したがって、第１走査駆動部２１１および第２走査駆動部２１２に対する詳細な説明は省略する。
【０２４５】
図９を参照すると、第３画素ＰＸＬ３は、第３ダミー走査線Ｓ３１’、第３走査線Ｓ３１〜Ｓ３ｋおよびデータ線Ｄ１〜Ｄｍによって区画された第３画素領域ＡＡ３に位置することができる。
【０２４６】
第３画素領域ＡＡ３の最初の水平ラインに位置した第３画素ＰＸＬ３は、最後の第２走査線Ｓ２ｎおよび最初の第３走査線Ｓ３１と接続され得る。
【０２４７】
第３画素領域ＡＡ３の二番目の水平ラインに位置した第３画素ＰＸＬ３は、第３ダミー走査線Ｓ３１’および二番目の第３走査線Ｓ３２と接続され、三番目の水平ラインから最後の水平ラインに位置した第３画素ＰＸＬ３は、隣接した第３走査線Ｓ３２〜Ｓ３ｋと接続され得る。
【０２４８】
図１０を参照すると、第３走査駆動部２１３’は、第３ダミーステージＤＳＴ３１と第３走査ステージＳＳＴ３１〜ＳＳＴ３ｋを含むことができる。
【０２４９】
第３ダミーステージＤＳＴ３１は、最初の第３走査ステージＳＳＴ３１と二番目の第３走査ステージＳＳＴ３２との間に位置することができる。
【０２５０】
第３ダミーステージＤＳＴ３１は、第３ダミー走査線Ｓ３１’の一端に接続され、第３ダミー走査線Ｓ３１’を通じて第３ダミー走査信号Ｇ３１’を供給することができる。
【０２５１】
第３走査ステージＳＳＴ３１〜ＳＳＴ３ｋは、それぞれ第３走査線Ｓ３１〜Ｓ３ｋの一端に接続され、これを通じて第３走査線Ｓ３１〜Ｓ３ｋに第３走査信号Ｇ３１〜Ｇ３ｋを供給することができる。
【０２５２】
第３ダミーステージＤＳＴ３１は、第３ダミー走査線Ｓ３１’を通じて第３画素領域ＡＡ３の二番目の水平ラインに位置した第３画素ＰＸＬ３と接続され得る。第３画素領域ＡＡ３の二番目の水平ラインに位置した第３画素ＰＸＬ３には第３ダミーステージＤＳＴ３１だけでなく、二番目の第３走査ステージＳＳＴ３２と三番目の第３走査ステージＳＳＴ３３とも接続され得る。
【０２５３】
第３ダミーステージＤＳＴ３１と第３走査ステージＳＳＴ３１〜ＳＳＴ３ｋとはタイミング制御部２５０から供給されるクロック信号ＣＬＫ１、ＣＬＫ２に応じて動作することができる。また、第３ダミーステージＤＳＴ３１と第３走査ステージＳＳＴ３１〜ＳＳＴ３ｋとは同じ回路で実現され得る。
【０２５４】
最初の第３走査ステージＳＳＴ３１は、前段の走査ステージの出力信号の供給を受けることができる。すなわち、最初の第３走査ステージＳＳＴ３１は、最後の第２走査ステージＳＳＴ２ｎの出力信号Ｇ２ｎの供給を受けることができる。
【０２５５】
第３ダミーステージＤＳＴ３１は、タイミング制御部２５０から供給される第３開始信号ＦＬＭ３の供給を受けることができる。また、二番目の第３走査ステージＳＳＴ３２〜ＳＳＴ３ｋからは第３ダミーステージＤＳＴ３１または前段の走査ステージの出力信号（すなわち、走査信号）の供給を受けることができる。
【０２５６】
例えば、二番目の第３走査ステージＳＳＴ３２は、第３ダミーステージＤＳＴ３１の出力信号Ｇ３１’の供給を受け、残りの第３走査ステージＳＳＴ３３〜ＳＳＴ３ｋは以前の走査ステージの出力信号の供給を受けることができる。
【０２５７】
図１１は、表示装置が第２モードで駆動するときに図１０に図示された走査駆動部から出力する走査信号の出力タイミングを説明するための波形図である。
【０２５８】
第１開始信号ＦＬＭ１、第１ダミー走査信号Ｇ１０、第１走査信号Ｇ１１〜Ｇ１ｊ、第２開始信号ＦＬＭ２、第２ダミー走査信号Ｇ２０および第２走査信号Ｇ２１〜Ｇ２ｎの出力タイミングは、図７Ａに図示された第１ダミー走査信号Ｇ１０、第１走査信号Ｇ１１〜Ｇ１ｊ、第２ダミー走査信号Ｇ２０および第２走査信号Ｇ２１〜Ｇ２ｎの出力タイミングと同じであってもよい。したがって、これに対する詳細な説明は省略する。
【０２５９】
図１１を参照すると、最初の第３走査ステージＳＳＴ３１は、最後の第２走査信号Ｇ２ｎをシフトすることによって、最初の第３走査信号Ｓ３１を出力することができる。
【０２６０】
次に、第３開始信号ＦＬＭ３が供給されると、第３ダミー走査信号Ｇ３１’および残りの第３走査信号Ｇ３２〜Ｇ３ｋが順次出力され得る。具体的には、第３ダミーステージＤＳＴ３１は、クロック信号ＣＬＫ１、ＣＬＫ２に応じて第３開始信号ＦＬＭ３をシフトすることによって第３ダミー走査信号Ｇ３１’を出力することができる。
【０２６１】
このとき、第３ダミー走査信号Ｇ３１’と最初の第３走査信号Ｇ３１とが重なるように、第３開始信号ＦＬＭ３の出力タイミングが設定され得る。
【０２６２】
次に、二番目の第３走査ステージＳＳＴ３２は、第３ダミー走査信号Ｇ３１’をシフトすることによって、二番目の第３走査信号Ｇ３２を出力することができる。残りの第３走査信号Ｇ３３〜Ｇ３ｋも前述した方式により順次出力され得る。
【０２６３】
図１２は、表示装置が第１モードで駆動するときに図１０に図示された走査駆動部から出力する走査信号の出力タイミングを説明するための波形図である。
【０２６４】
第１ダミー走査信号Ｇ１０、第１走査信号Ｇ１１〜Ｇ１ｊ、第２ダミー走査信号Ｇ２０および第２走査信号Ｇ２１〜Ｇ２ｎの出力タイミングは、図８Ａに図示された第１ダミー走査信号Ｇ１０、第１走査信号Ｇ１１〜Ｇ１ｊ、第２ダミー走査信号Ｇ２０および第２走査信号Ｇ２１〜Ｇ２ｎの出力タイミングと同じであってもよい。したがって、これに対する詳細な説明は省略する。
【０２６５】
図１２を参照すると、最初の第３走査ステージＳＳＴ３１は、最後の第２走査信号Ｇ２ｎをシフトすることによって、最初の第３走査信号Ｓ３１を出力することができる。したがって、第２走査信号Ｇ２１〜Ｇ２ｎから最初の第３走査信号Ｇ３１まで順次供給され得る。
【０２６６】
第３開始信号ＦＬＭ３が供給されると、第３ダミー走査信号Ｇ３１’および残りの第３走査信号Ｇ３２〜Ｇ３ｋが順次出力され得る。具体的には、第３ダミーステージＤＳＴ３１は、クロック信号ＣＬＫ１、ＣＬＫ２に応じて第３開始信号ＦＬＭ３をシフトすることによって、第３ダミー走査信号Ｇ３１’を出力することができる。
【０２６７】
このとき、最後の第３走査信号Ｇ３ｋと最後の第２走査信号Ｇ２ｎとが同時に出力されるように、第３開始信号ＦＬＭ３の出力タイミングが設定され得る。
【０２６８】
次に、二番目の第３走査ステージＳＳＴ３２は、第３ダミー走査信号Ｇ３１’をシフトすることによって、二番目の第３走査信号Ｇ３２を出力することができる。残りの第３走査信号Ｇ３３〜Ｇ３ｋも前述した方式により順次出力され得る。
【０２６９】
前述した通り、表示装置１０’が第１モードで駆動する場合には、第２画素領域ＡＡ２に第２走査信号Ｇ２１〜Ｇ２ｎが供給される途中で第３画素領域ＡＡ３に第３走査信号Ｇ３１〜Ｇ３ｋが供給されるようになる。
【０２７０】
第１モードで第２画素領域ＡＡ２と第３画素領域ＡＡ３とを別個に駆動するために、最初の第３走査ステージＳＳＴ３１に開始信号を印加すると、最後の第２走査信号Ｇ２ｎと最初の第３走査信号Ｇ３１とが順次出力されない。
【０２７１】
図１２を参照すると、第２画素領域ＡＡ２の最後の水平ラインに位置した第２画素ＰＸＬ２は最初の第３走査信号Ｇ３１に応じて有機発光ダイオードを初期化することになるか、または、最後の第２走査信号Ｇ２ｎと最初の第３走査信号Ｇ３１とが順次出力されない場合、第２画素領域ＡＡ２の最後の水平ラインに位置した第２画素ＰＸＬ２は有機発光ダイオードを初期化すべきタイミングに第７トランジスターのゲート電極にターンオン信号の供給を受けることができない問題点が発生し得る。これにより、第２画素領域ＡＡ２の最後の水平ラインに誤った映像が表示され、第１モードから第２モードに変更するときに第２画素領域ＡＡ２と第３画素領域ＡＡ３との間の境界線に横線が残像として残り得る。
【０２７２】
本発明の他の実施例による場合、第２画素領域ＡＡ２の最後の第２画素ＰＸＬ２が最初の第３走査線Ｓ３１に接続されるようにし、第３ダミーステージＤＳＴ３１を最初の第３走査ステージＳＳＴ３１の後に位置するようにすることによって、前述した問題点を解決し、第３画素領域ＡＡ３を第２画素領域ＡＡ２と別個に駆動されるようにすることができる。
【０２７３】
図１３は、本発明の他の実施例による表示装置の構成を具体的に示す図面である。ここでは図３を参照して前述した実施例と比較して変更された部分を中心に説明を進め、前述した実施例と重複する部分については説明を省略する。
【０２７４】
図１３を参照すると、本発明の実施例に係る表示装置１０”は第１走査駆動部２１１、第２走査駆動部２１２’、第３走査駆動部２１３”、第１補助線ＤＬ１および第２補助線ＤＬ２を含むことができる。
【０２７５】
第２画素領域ＡＡ２には、最初の水平ラインＨＬ１に位置した第２画素ＰＸＬ２’と残りの水平ラインに位置した第２画素ＰＸＬ２とが含まれ得る。ここで、残りの水平ラインに位置した第２画素ＰＸＬ２の構成および動作方法は、図３に図示された第２画素ＰＸＬ２と同じであってもよい。
【０２７６】
第３画素領域ＡＡ３には、最初の水平ラインＨＬ２に位置した第３画素ＰＸＬ３’と残りの水平ラインに位置した第３画素ＰＸＬ３とが含まれ得る。ここで、残りの水平ラインに位置した第３画素ＰＸＬ３の構成および動作方法は、図３に図示された第３画素ＰＸＬ３と同じであってもよい。
【０２７７】
第２走査駆動部２１２’は、第２走査線Ｓ２１〜Ｓ２ｎに接続され得る。
【０２７８】
第３走査駆動部２１３”は、第３走査線Ｓ３１〜Ｓ３ｋに接続され得る。
【０２７９】
第１補助線ＤＬ１は、第２画素領域ＡＡ２の最初の水平ラインＨＬ１に位置した第２画素ＰＸＬ２’に接続され得る。
【０２８０】
タイミング制御部２５０は、第２走査駆動部２１２’と第１補助線ＤＬ１とに第２開始信号ＦＬＭ２を供給することができる。
【０２８１】
これにより、最初の水平ラインＨＬ１に位置した第２画素ＰＸＬ２’は、最初の第２走査線Ｓ２１に出力される走査信号と、第１補助線ＤＬ１を通じて伝達される第２開始信号ＦＬＭ２とに応じて駆動され得る。
【０２８２】
第２補助線ＤＬ２は、第３画素領域ＡＡ３の最初の水平ラインＨＬ２に位置した第３画素ＰＸＬ３’に接続され得る。
【０２８３】
タイミング制御部２５０は、第３走査駆動部２１３”と第２補助線ＤＬ２とに第３開始信号ＦＬＭ３を供給することができる。
【０２８４】
これにより、最初の水平ラインＨＬ２に位置した第３画素ＰＸＬ３’は、最初の第３走査線Ｓ３１に出力される走査信号と、第２補助線ＤＬ２を通じて伝達される第３開始信号ＦＬＭ３とに応じて駆動され得る。
【０２８５】
図１４Ａは、図１３に図示された第２画素領域の最初の水平ラインに位置した第２画素を示した図面であり、図１４Ｂは、図１３に図示された第３画素領域の最初の水平ラインに位置した第３画素を示した図面である。
【０２８６】
図１４Ａおよび図１４Ｂでは説明の便宜のために、ｍ番目のデータ線Ｄｍに接続された第２画素ＰＸＬ２’および第３画素ＰＸＬ３’を図示する。また、図４を参照して説明した実施例と比較して変更された部分を中心に説明を進め、重複した説明については省略する。
【０２８７】
図１４Ａを参照すると、第２画素領域ＡＡ２の最初の水平ラインＨＬ１に位置した第２画素ＰＸＬ２’は、有機発光ダイオードＯＬＥＤ、第１トランジスターＴ１〜第７トランジスターＴ７およびストレージキャパシタＣｓｔを含むことができる。
【０２８８】
第７トランジスターＴ７は、初期化電源Ｖｉｎｔと有機発光ダイオードＯＬＥＤのアノードとの間に接続され得る。そして、第７トランジスターＴ７のゲート電極は、二番目の第２走査線Ｓ２２に接続され得る。このような第７トランジスターＴ７は、二番目の第２走査線Ｓ２２に走査信号が供給されるときにターン−オンされて初期化電源Ｖｉｎｔの電圧を有機発光ダイオードＯＬＥＤのアノードに供給することができる。
【０２８９】
第３トランジスターＴ３は、第１トランジスターＴ１の第２電極と第１０ノードＮ１０との間に接続され。そして、第３トランジスターＴ３のゲート電極は、最初の第２走査線Ｓ２１に接続され得る。このような第３トランジスターＴ３は、最初の第２走査線Ｓ２１に走査信号が供給されるときにターン−オンされて第１トランジスターＴ１の第２電極と第１０ノードＮ１０とを電気的に接続させることができる。
【０２９０】
第４トランジスターＴ４は、第１０ノードＮ１０と初期化電源Ｖｉｎｔとの間に接続され得る。そして、第４トランジスターＴ４のゲート電極は、第１補助線ＤＬ１に接続され得る。このような第４トランジスターＴ４は、第１補助線ＤＬ１に第２開始信号ＦＬＭ２が供給されるときにターン−オンされて第１０ノードＮ１０に初期化電源Ｖｉｎｔの電圧を供給することができる。
【０２９１】
第２トランジスターＴ２は、ｍ番目のデータ線Ｄｍと第１トランジスターＴ１の第１電極との間に接続され得る。そして、第２トランジスターＴ２のゲート電極は、最初の第２走査線Ｓ２１に接続され得る。このような第２トランジスターＴ２は、最初の第２走査線Ｓ２１に走査信号が供給されるときにターン−オンされてｍ番目のデータ線Ｄｍと第１トランジスターＴ１の第１電極とを電気的に接続させることができる。
【０２９２】
図１４Ｂを参照すると、第３画素領域ＡＡ３の最初の水平ラインＨＬ２に位置した第３画素ＰＸＬ３’は、有機発光ダイオードＯＬＥＤ、第１トランジスターＴ１〜第７トランジスターＴ７およびストレージキャパシタＣｓｔを含むことができる。
【０２９３】
第７トランジスターＴ７は、初期化電源Ｖｉｎｔと有機発光ダイオードＯＬＥＤのアノードとの間に接続され得る。第７トランジスターＴ７のゲート電極は二番目の第３走査線Ｓ３２に接続され、二番目の第３走査線Ｓ３２に走査信号が供給されるときにターン−オンされて初期化電源Ｖｉｎｔの電圧を有機発光ダイオードＯＬＥＤのアノードに供給することができる。
【０２９４】
第３トランジスターＴ３は、第１トランジスターＴ１の第２電極と第１０ノードＮ１０との間に接続され得る。第３トランジスターＴ３のゲート電極は、最初の第３走査線Ｓ３１に接続され、最初の第３走査線Ｓ３１に走査信号が供給されるときにターン−オンされて第１トランジスターＴ１の第２電極と第１０ノードＮ１０とを電気的に接続させることができる。
【０２９５】
第４トランジスターＴ４は、第１０ノードＮ１０と初期化電源Ｖｉｎｔとの間に接続され得る。第４トランジスターＴ４のゲート電極は、第２補助線ＤＬ２に接続され得る。このような第４トランジスターＴ４は、第２補助線ＤＬ２に第３開始信号ＦＬＭ３が供給されるときにターン−オンされて第１０ノードＮ１０に初期化電源Ｖｉｎｔの電圧を供給することができる。
【０２９６】
第２トランジスターＴ２は、ｍ番目のデータ線Ｄｍと第１トランジスターＴ１の第１電極との間に接続され得る。第２トランジスターＴ２のゲート電極は最初の第３走査線Ｓ３１に接続され、最初の第３走査線Ｓ３１に走査信号が供給されるときにターン−オンされてｍ番目のデータ線Ｄｍと第１トランジスターＴ１の第１電極とを電気的に接続させることができる。
【０２９７】
図１５は、図１３に図示された走査駆動部の構成をより詳しく示した図面である。ここで、図６および図１０に図示された構成と同じ構成については同じ図面符号を付与し、それに対する詳しい説明は省略し、変更された部分を中心に説明する。
【０２９８】
図１５を参照すると、第２走査駆動部２１２’は、第２走査ステージＳＳＴ２１〜ＳＳＴ２ｎを含むことができる。
【０２９９】
第２走査ステージＳＳＴ２１〜ＳＳＴ２ｎは、それぞれ第２走査線Ｓ２１〜Ｓ２ｎの一端に接続され、これを通じて第２走査線Ｓ２１〜Ｓ２ｎに第２走査信号Ｇ２１〜Ｇ２ｎを供給することができる。
【０３００】
第２走査ステージＳＳＴ２１〜ＳＳＴ２ｎは、タイミング制御部２５０から供給されるクロック信号ＣＬＫ１、ＣＬＫ２に応じて動作することができる。
【０３０１】
最初の第２走査ステージＳＳＴ２１は、タイミング制御部２５０から供給される第２開始信号ＦＬＭ２の供給を受けることができる。残りの第２走査ステージＳＳＴ２２〜ＳＳＴ２ｎは、前段の走査ステージの出力信号（すなわち、第２走査信号）の供給を受けることができる。
【０３０２】
次に、第３走査駆動部２１３”は、第３走査ステージＳＳＴ３１〜ＳＳＴ３ｋを含むことができる。
【０３０３】
第３走査ステージＳＳＴ３１〜ＳＳＴ３ｋは、それぞれ第３走査線Ｓ３１〜Ｓ３ｋの一端に接続され、これを通じて第３走査線Ｓ３１〜Ｓ３ｋに第３走査信号Ｇ３１〜Ｇ３ｋを供給することができる。
【０３０４】
第３走査ステージＳＳＴ３１〜ＳＳＴ３ｋは、タイミング制御部２５０から供給されるクロック信号ＣＬＫ１、ＣＬＫ２に応じて動作することができる。
【０３０５】
最初の第３走査ステージＳＳＴ３１は、タイミング制御部２５０から供給される第３開始信号ＦＬＭ３の供給を受けることができる。残りの第３走査ステージＳＳＴ３２〜ＳＳＴ３ｋは、前段の走査ステージの出力信号（すなわち、第３走査信号）の供給を受けることができる。
【０３０６】
図１６Ａは、表示装置が第２モードで駆動するときに図１５に図示された走査駆動部から出力する走査信号の出力タイミングを説明するための波形図である。
【０３０７】
図１６Ａを参照すると、表示装置１０”が第２モードで駆動するときにタイミング制御部２５０は、第１ダミーステージＤＳＴ１０に第１開始信号ＦＬＭ１を、最初の第２走査ステージＳＳＴ２１に第２開始信号ＦＬＭ２を、第３走査ステージＳＳＴ３１に第３開始信号ＦＬＭ３を順次供給することができる。
【０３０８】
ここで、第１開始信号ＦＬＭ１、第２開始信号ＦＬＭ２および第３開始信号ＦＬＭ３の供給タイミングは、第１走査信号Ｇ１１〜Ｇ１ｊ、第２走査信号Ｇ２１〜Ｇ２ｎおよび第３走査信号Ｇ３１〜Ｇ３ｋが順次供給されるように設定され得る。
【０３０９】
第１開始信号ＦＬＭ１が供給されると、第１ダミー走査信号Ｇ１０および第１走査信号Ｇ１１〜Ｇ１ｊが順次出力され得る。
【０３１０】
第２開始信号ＦＬＭ２が供給されると、第２走査信号Ｇ２１〜Ｇ２ｎが順次出力され得る。
【０３１１】
このとき、最後の第１走査信号Ｇ１ｊの次に最初の第２走査信号Ｇ２１が出力するように、第２開始信号ＦＬＭ２の出力タイミングが設定され得る。
【０３１２】
第３開始信号ＦＬＭ３が供給されると、第３走査信号Ｇ３１〜Ｇ３ｋが順次出力され得る。
【０３１３】
このとき、最後の第２走査信号Ｇ２ｎ次に最初の第３走査信号Ｇ３１が出力するように、第３開始信号ＦＬＭ３の出力タイミングが設定され得る。
【０３１４】
図１６Ｂは、表示装置が第１モードで駆動するときに図１５に図示された走査駆動部から出力する走査信号の出力タイミングを説明するための波形図である。
【０３１５】
表示装置１０”が第１モードで駆動するときにタイミング制御部２５０は、第１ダミーステージＤＳＴ１０に第１開始信号ＦＬＭ１を、最初の第２ステージＳＳＴ２１に第２開始信号ＦＬＭ２を、第３ステージＳＳＴ３１に第３開始信号ＦＬＭ３を供給するものの、供給順序は第２モードのときと異なり得る。
【０３１６】
すなわち、タイミング制御部２５０は、第２走査信号Ｇ２１〜Ｇ２ｎが順次供給される間、第１走査信号Ｇ１１〜Ｇ１ｊおよび第３走査信号Ｇ３１〜Ｇ３ｋが供給されるように、第１開始信号ＦＬＭ１、第２開始信号ＦＬＭ２および第３開始信号ＦＬＭ３の供給順序を設定することができる。
【０３１７】
すなわち、第１走査信号Ｇ１１〜Ｇ１ｊが供給される期間は、第２走査信号Ｇ２１〜Ｇ２ｎが供給される期間中の一部と重なり、第３走査信号Ｇ３１〜Ｇ３ｋが供給される期間は、第２走査信号Ｇ２１〜Ｇ２ｎが供給される期間中の一部と重なるように、第１開始信号ＦＬＭ１、第２開始信号ＦＬＭ２および第３開始信号ＦＬＭ３の供給順序が設定され得る。
【０３１８】
このとき、第１走査信号Ｇ１１〜Ｇ１ｊおよび第３走査信号Ｇ３１〜Ｇ３ｋが供給される期間は互いに重なっていてもよく、重なっていなくてもよい。
【０３１９】
図１６Ｂを参照すると、第１開始信号ＦＬＭ１が供給されると、第１ダミー走査信号Ｇ１０および第１走査信号Ｇ１１〜Ｇ１ｊが順次出力され得る。
【０３２０】
このとき、第１画素ＰＸＬ１にはダミーデータ信号が供給され、これにより、第１画素領域ＡＡ１にはダミー映像が表示され得る。ダミー映像は、第２画素領域ＡＡ２に表示される有効映像のうちの一部と同じ映像であってもよい。
【０３２１】
図１６Ｂに図示されたように、第２開始信号ＦＬＭ２は第１開始信号ＦＬＭ１と同時に供給されてもよく、最初の第１走査信号Ｇ１１と最初の第２走査信号Ｇ２１が同時に出力するように供給されてもよい。
【０３２２】
第２開始信号ＦＬＭ２が供給されると、第２走査信号Ｇ２１〜Ｇ２ｎが順次出力され得る。
【０３２３】
第３開始信号ＦＬＭ３が供給されると、第３走査信号Ｇ３１〜Ｇ３ｋが順次出力され得る。
【０３２４】
このとき、最後の第３走査信号Ｇ３ｋと最後の第２走査信号Ｇ２ｎとが同時に出力するように、第３開始信号ＦＬＭ３の出力タイミングが設定され得る。
【０３２５】
このとき、第３画素ＰＸＬ３’、ＰＸＬ３にはダミーデータ信号が供給され、これにより、第３画素領域ＡＡ３にはダミー映像が表示され得る。ダミー映像は、第２画素領域ＡＡ２に表示される有効映像のうちの一部と同じ映像であってもよい。また、第３画素領域ＡＡ３に表示されるダミー映像は第１画素領域ＡＡ１に表示されるダミー映像と同一でもよく、異なってもよい。
【０３２６】
前述した通り、表示装置１０”が第１モードで駆動する場合には、第１走査信号Ｇ１１〜Ｇ１ｊがすべて供給された後第２走査信号Ｇ２１〜Ｇ２ｎが供給されない。すなわち、最後の第１走査信号Ｇ１ｊと最初の第２走査信号Ｇ２１とが順次供給されない。
【０３２７】
もし、第２画素領域ＡＡ２の最初の水平ラインに位置した第２画素ＰＸＬ２に最後の第１走査線Ｓ１ｊに接続されると、第２画素領域ＡＡ２の最初の水平ラインＨＬ１に位置した第２画素ＰＸＬ２’が最後の第１走査信号Ｇ１ｊによる影響を受けることになる。
【０３２８】
すなわち、第２画素領域ＡＡ２に第２走査信号Ｇ２１〜Ｇ２ｎが供給される途中で、最初の水平ラインに位置した第２画素ＰＸＬ２に最後の第１走査信号Ｇ１ｊが供給され、これによって第２画素領域ＡＡ２の最初の水平ラインに明線または暗線が表示される問題点が発生し得る。また、これは第１モードから第２モードに変更されるときに第１画素領域ＡＡ１と第２画素領域ＡＡ２との境界線に残像として残り得る。
【０３２９】
前述した問題点は第２画素領域ＡＡ２と第３画素領域ＡＡ３との間の境界線にも発生し得る。
【０３３０】
本発明の実施例に係る場合、第２画素領域ＡＡ２の最初の水平ラインに位置した第２画素ＰＸＬ２に最後の第１走査線Ｓ１ｊを接続せずに第１補助線ＤＬ１を接続することによって、第２画素領域ＡＡ２の最初の水平ラインに位置した第２画素ＰＸＬ２は最後の第１走査信号Ｇ１ｊによる影響を受けなくなり、したがって前述した問題点を解決することができる。
【０３３１】
また、第３画素領域ＡＡ３の最初の水平ラインに位置した第３画素ＰＸＬ３に最後の第３走査線Ｓ２ｎを接続せずに第２補助線ＤＬ２を接続することによって、前述した問題点を解決することができる。
【０３３２】
図１７は、本発明の実施例に係る発光駆動部の構成を示した図面である。
【０３３３】
図１７を参照すると、第１発光駆動部３１１は、多数の第１発光ステージＥＳＴ１１〜ＥＳＴ１ｊを含むことができる。
【０３３４】
第１発光ステージＥＳＴ１１〜ＥＳＴ１ｊは、それぞれ第１発光制御線Ｅ１１〜Ｅ１ｊの一端に接続され、これを通じて第１発光制御線Ｅ１１〜Ｅ１ｊに第１発光制御信号Ｆ１１〜Ｆ１ｊを供給することができる。
【０３３５】
このとき、第１発光ステージＥＳＴ１１〜ＥＳＴ１ｊは、タイミング制御部２５０から供給されるクロック信号ＣＬＫ５、ＣＬＫ６に応じて動作することができる。また、第１発光ステージＥＳＴ１１〜ＥＳＴ１ｊは同じ回路で実現され得る。
【０３３６】
第１発光ステージＥＳＴ１１〜ＥＳＴ１ｊは、前段の発光ステージの出力信号（すなわち、発光制御信号）または第４開始信号ＥＦＬＭ１の供給を受けることができる。
【０３３７】
例えば、最初の第１発光ステージＥＳＴ１１は、第４開始信号ＥＦＬＭ１の供給を受け、残りの第１発光ステージＥＳＴ１２〜ＥＳＴ１ｊは以前の発光ステージの出力信号の供給を受けることができる。
【０３３８】
次に、第２発光駆動部３１２は多数の第２発光ステージＥＳＴ２１〜ＥＳＴ２ｎを含むことができる。
【０３３９】
第２発光ステージＥＳＴ２１〜ＥＳＴ２ｎは、それぞれ第２発光制御線Ｅ２１〜Ｅ２ｎの一端に接続され、これを通じて第２発光制御線Ｅ２１〜Ｅ２ｎに第２発光制御信号Ｆ２１〜Ｆ２ｎを供給することができる。
【０３４０】
このとき、第２発光ステージＥＳＴ２１〜ＥＳＴ２ｎは、タイミング制御部２５０から供給されるクロック信号ＣＬＫ５、ＣＬＫ６に応じて動作することができる。また、第２発光ステージＥＳＴ２１〜ＥＳＴ２ｎは、同じ回路で実現され得る。
【０３４１】
第２発光ステージＥＳＴ２１〜ＥＳＴ２ｎは、前段の発光ステージの出力信号（すなわち、発光制御信号）または第５開始信号ＥＦＬＭ２の供給を受けることができる。
【０３４２】
例えば、最初の第２発光ステージＥＳＴ２１は、第５開始信号ＥＦＬＭ２の供給を受け、残りの第２発光ステージＥＳＴ２２〜ＥＳＴ２ｎは以前の発光ステージの出力信号の供給を受けることができる。
【０３４３】
次に、第３発光駆動部３１３は、多数の第３発光ステージＥＳＴ３１〜ＥＳＴ３ｋを含むことができる。
【０３４４】
第３発光ステージＥＳＴ３１〜ＥＳＴ３ｋは、それぞれ第３発光制御線Ｅ３１〜Ｅ３ｋの一端に接続され、これを通じて第３発光制御線Ｅ３１〜Ｅ３ｋに第３発光制御信号Ｆ３１〜Ｆ３ｋを供給することができる。
【０３４５】
このとき、第３発光ステージＥＳＴ３１〜ＥＳＴ３ｋは、タイミング制御部２５０から供給されるクロック信号ＣＬＫ５、ＣＬＫ６に応じて動作することができる。また、第３発光ステージＥＳＴ３１〜ＥＳＴ３ｋは同じ回路で実現され得る。
【０３４６】
第３発光ステージＥＳＴ３１〜ＥＳＴ３ｋは、前段の発光ステージの出力信号（すなわち、発光制御信号）または第５開始信号ＥＦＬＭ２の供給を受けることができる。
【０３４７】
例えば、最初の第３発光ステージＥＳＴ３１は、第２発光駆動部３１２の最後の第２発光ステージＥＳＴ２ｎから出力する信号Ｆ２ｎを開始信号として使うことができ、残りの第３発光ステージＥＳＴ３２〜ＥＳＴ３ｋは前段の発光ステージの出力信号の供給を受けることができる。
【０３４８】
一方、発光制御信号Ｆ１１〜Ｆ１ｊ、Ｆ２１〜Ｆ２ｎ、Ｆ３１〜Ｆ３ｋの幅は第２開始信号ＦＬＭ２の幅に応じて決定され得る。換言すれば、第２開始信号ＦＬＭ２の幅が広くなるほど発光制御信号Ｆ１１〜Ｆ１ｊ、Ｆ２１〜Ｆ２ｎ、Ｆ３１〜Ｆ３ｋの幅が広くなり得る。
【０３４９】
第２開始信号ＦＬＭ２の幅は駆動方法に応じて多様に設定され得る。
【０３５０】
図１８Ａは表示装置が第２モードで駆動するときに図１７に図示された発光駆動部から出力される発光制御信号の出力タイミングを説明するための波形図である。
【０３５１】
図１８Ａを参照すると、表示装置１０、１０’、１０”が第２モードで駆動するとき、タイミング制御部２５０は、第１発光駆動部３１１に第４開始信号ＥＦＬＭ１を、第２発光駆動部３１２に第５開始信号ＥＦＬＭ２を、第３発光駆動部３１３に第６開始信号ＥＦＬＭ３を順次供給することができる。
【０３５２】
ここで、第４開始信号ＥＦＬＭ１、第５開始信号ＥＦＬＭ２および第６開始信号ＥＦＬＭ３の供給タイミングは、第１発光制御信号Ｆ１１〜Ｆ１ｊ、第２発光信号Ｆ２１〜Ｆ２ｎおよび第３発光制御信号Ｆ３１〜Ｆ３ｋが順次供給されるように設定され得る。
【０３５３】
第４開始信号ＥＦＬＭ１、第５開始信号ＥＦＬＭ２および第６開始信号ＥＦＬＭ３は、同じ幅を有することができる。
【０３５４】
第４開始信号ＥＦＬＭ１が供給されると、第１発光制御信号Ｆ１１〜Ｆ１ｊが順次出力され得る。このとき、ｉ番目の第１発光制御線Ｅ１ｉに供給される第１発光制御信号Ｆ１ｉは、ｉ番目の第１走査線Ｓ１ｉに供給される走査信号Ｇ１ｉと重なるように供給され得る。
【０３５５】
第５開始信号ＥＦＬＭ２が供給されると、第２発光信号Ｆ２１〜Ｆ２ｎが順次出力され得る。このとき、ｉ番目の第２発光制御線Ｅ２ｉに供給される第２発光制御信号Ｆ２ｉはｉ番目の第２走査線Ｓ２ｉに供給される走査信号（Ｇ２ｉ）と重なるように供給され得る。
【０３５６】
第６開始信号ＥＦＬＭ３が供給されると、第３発光制御信号Ｆ３１〜Ｆ３ｋが順次出力され得る。このとき、ｉ番目の第３発光制御線Ｅ３ｉに供給される第３発光制御信号Ｆ３ｉはｉ番目の第３走査線Ｓ３ｉに供給される走査信号Ｇ３ｉと重なるように供給され得る。
【０３５７】
図１８Ｂは、表示装置が第１モードで駆動するときに図１７に図示された発光駆動部から出力される発光制御信号の出力タイミングを説明するための波形図である。
【０３５８】
図１８Ｂを参照すると、表示装置１０、１０’、１０”が第１モードで駆動するとき、タイミング制御部２５０は、第１発光駆動部３１１に第４開始信号ＥＦＬＭ１を、第２発光駆動部３１２に第５開始信号ＥＦＬＭ２を、第３発光駆動部３１３に第６開始信号ＥＦＬＭ３を供給するものの、所定の順序により供給することができる。
【０３５９】
すなわち、タイミング制御部２５０は、第２発光制御信号Ｆ２１〜Ｆ２ｎが順次供給される間、第１発光制御信号Ｆ１１〜Ｆ１ｋおよび第３発光制御信号Ｆ３１〜Ｆ３ｋが供給されるように、第４開始信号ＥＦＬＭ１、第５開始信号ＥＦＬＭ２および第６開始信号ＥＦＬＭ３の供給順序を設定することができる。
【０３６０】
第１発光制御信号Ｆ１１〜Ｆ１ｋが供給される期間は、第２発光制御信号Ｆ２１〜Ｆ２ｎが供給される期間中の一部と重なり、第３発光制御信号Ｆ３１〜Ｆ３ｋが供給される期間は、第２発光制御信号Ｆ２１〜Ｆ２ｎが供給される期間中の一部と重なり得る。
【０３６１】
第１発光制御信号Ｆ１１〜Ｆ１ｋおよび第３発光制御信号Ｆ３１〜Ｆ３ｋが供給される期間は互いに重なっていてもよく、重なっていなくてもよい。
【０３６２】
第４開始信号ＥＦＬＭ１が供給されると、第１発光制御信号Ｆ１１〜Ｆ１ｊが順次出力され得る。
【０３６３】
第５開始信号ＥＦＬＭ２が供給されると、第２発光制御信号Ｆ２１〜Ｆ２ｎが順次出力され得る。
【０３６４】
第４開始信号ＥＦＬＭ１と第５開始信号ＥＦＬＭ２とは同時に供給され得る。この場合、第１発光制御信号Ｆ１１〜Ｆ１ｊと第２発光制御信号Ｆ２１〜Ｆ２ｎ中の一部のＦ２１〜Ｆ２ｊとが重なるように出力され得る。
【０３６５】
第６開始信号ＥＦＬＭ３が供給されると、第３発光制御信号Ｆ３１〜Ｆ３ｋが順次出力され得る。第６開始信号ＥＦＬＭ３の供給タイミングは、最後の第２発光制御信号Ｆ２ｎと最後の第３発光制御信号Ｆ３ｋとが同時に出力するように設定され得る。
【０３６６】
表示装置１０、１０’、１０”が第１モードで駆動するとき、第４開始信号ＥＦＬＭ１、第５開始信号ＥＦＬＭ２および第６開始信号ＥＦＬＭ３の供給順序は図１８Ｂに図示されたものに限定されない。
【０３６７】
例えば、第４開始信号ＥＦＬＭ１が第６開始信号ＥＦＬＭ３より遅く供給されてもよく、第４開始信号ＥＦＬＭ１および第６開始信号ＥＦＬＭ３のそれぞれが何度も供給されてもよい。
【０３６８】
図１９は、本発明の他の実施例による表示装置の構成を示した図面である。
【０３６９】
図１９を参照して本発明の他の実施例による表示装置１０ａの構成および動作を説明するにおいて、図３に図示された表示装置１０と同じ構成に対する説明は省略し、差異点を中心に説明する。
【０３７０】
図１９を参照すると、第１走査駆動部２１１は、タイミング制御部２５０からの第１走査駆動部制御信号ＦＬＭ１、ＣＬＫ１、ＣＬＫ２、ＣＬＫ３、ＣＬＫ４に応じて第１ダミー走査線Ｓ１０に第１ダミー走査信号を供給し、第１走査線Ｓ１１〜Ｓ１ｊに第１走査信号を供給することができる。
【０３７１】
第２走査駆動部２１２は、タイミング制御部２５０からの第２走査駆動部制御信号ＦＬＭ２、ＣＬＫ１、ＣＬＫ２、ＣＬＫ３、ＣＬＫ４に応じて第２ダミー走査線Ｓ２０に第２ダミー走査信号を供給し、第２走査線Ｓ２１〜Ｓ２ｎに第２走査信号を供給することができる。
【０３７２】
第３走査駆動部２１３は、タイミング制御部２５０からの第３走査駆動部制御信号ＦＬＭ３、ＣＬＫ１、ＣＬＫ２、ＣＬＫ３、ＣＬＫ４に応じて第３ダミー走査線Ｓ３０に第３ダミー走査信号を供給し、第３走査線Ｓ３１〜Ｓ１ｋに第３走査信号を供給することができる。
【０３７３】
タイミング制御部２５０は、外部から供給されるタイミング信号に基づいて生成された走査駆動部制御信号ＦＬＭ１、ＦＬＭ２、ＦＬＭ３、ＣＬＫ１、ＣＬＫ２、ＣＬＫ３、ＣＬＫ４を走査駆動部２１１、２１２、２１３に供給することができる。
【０３７４】
第１走査駆動部制御信号は、第１開始信号ＦＬＭ１およびクロック信号ＣＬＫ１、ＣＬＫ２、ＣＬＫ３、ＣＬＫ４を含むことができる。第１開始信号ＦＬＭ１は第１ダミー走査信号の供給タイミングを制御し、クロック信号ＣＬＫ１、ＣＬＫ２、ＣＬＫ３、ＣＬＫ４は第１開始信号ＦＬＭ１をシフトさせるために使用され得る。
【０３７５】
第２走査駆動部制御信号は、第２開始信号ＦＬＭ２およびクロック信号ＣＬＫ１、ＣＬＫ２、ＣＬＫ３、ＣＬＫ４を含むことができる。第２開始信号ＦＬＭ２は第２ダミー走査信号の供給タイミングを制御し、クロック信号ＣＬＫ１、ＣＬＫ２、ＣＬＫ３、ＣＬＫ４は第２開始信号ＦＬＭ２をシフトさせるために使用され得る。
【０３７６】
第３走査駆動部制御信号は、第３開始信号ＦＬＭ３およびクロック信号ＣＬＫ１、ＣＬＫ２、ＣＬＫ３、ＣＬＫ４を含むことができる。第３開始信号ＦＬＭ３は第３ダミー走査信号の供給タイミングを制御し、クロック信号ＣＬＫ１、ＣＬＫ２、ＣＬＫ３、ＣＬＫ４は第３開始信号ＦＬＭ３をシフトさせるために使用され得る。
【０３７７】
走査駆動部２１１、２１２、２１３には、同一のクロック信号ＣＬＫ１、ＣＬＫ２、ＣＬＫ３、ＣＬＫ４が供給され得る。
【０３７８】
図２０は、図１９に図示された走査駆動部の構成をより詳しく示した図面である。
【０３７９】
図２０を参照して本発明の実施例に係る走査駆動部２１１、２１２、２１３の構成および動作を説明するにおいて、図６に図示された走査駆動部２１１、２１２、２１３と同じ構成および動作に対する説明は省略し、差異点を中心に説明する。
【０３８０】
図２０を参照すると、第１走査駆動部２１１は、第１ダミーステージＤＳＴ１０と第１走査ステージＳＳＴ１１〜ＳＳＴ１ｊを含むことができる。
【０３８１】
第１ダミーステージＤＳＴ１０は、第１ダミー走査線Ｓ１０の一端に接続され、第１ダミー走査線Ｓ１０を通じて第１ダミー走査信号Ｇ１０を供給することができる。
【０３８２】
第１走査ステージＳＳＴ１１〜ＳＳＴ１ｊは、それぞれ第１走査線Ｓ１１〜Ｓ１ｊの一端に接続され、これを通じて第１走査線Ｓ１１〜Ｓ１ｊに第１走査信号Ｇ１１〜Ｇ１ｊを供給することができる。
【０３８３】
第１ダミーステージＤＳＴ１０と第１走査ステージＳＳＴ１１〜ＳＳＴ１ｊとは、タイミング制御部２５０から供給されるクロック信号ＣＬＫ１、ＣＬＫ２、ＣＬＫ３、ＣＬＫ４に応じて動作することができる。
【０３８４】
クロック信号ＣＬＫ１、ＣＬＫ２、ＣＬＫ３、ＣＬＫ４は、第１クロック信号ＣＬＫ１、第２クロック信号ＣＬＫ２、第３クロック信号ＣＬＫ３および第４クロック信号ＣＬＫ４を含むことができる。
【０３８５】
第１走査駆動部２１１に含まれたステージＤＳＴ１０、ＳＳＴ１１〜ＳＳＴ１ｊのうちの一部のステージは、第１クロック信号ＣＬＫ１を供給する第１クロック線ＣＬ１および第２クロック信号ＣＬＫ２を供給する第２クロック線ＣＬ２に接続され、残りのステージは、第３クロック信号ＣＬＫ３を供給する第３クロック線ＣＬ３および第４クロック信号ＣＬＫ４を供給する第４クロック線ＣＬ４に接続され得る。
【０３８６】
例えば、第１ダミーステージＤＳＴ１０と最初の第１走査ステージＳＳＴ１１とは第１クロック信号ＣＬＫ１および第２クロック信号ＣＬＫ２の供給を受け、二番目の第１走査ステージＳＳＴ１２と三番目の第１走査ステージＳＳＴ１３とは第３クロック信号ＣＬＫ３および第４クロック信号ＣＬＫ４の供給を受けることができる。
【０３８７】
四番目の第１走査ステージＳＳＴ１４〜最後の第１走査ステージＳＳＴ１ｊにもクロック信号ＣＬＫ１、ＣＬＫ２、ＣＬＫ３、ＣＬＫ４が交互に供給され得る。
【０３８８】
次に、第２走査駆動部２１２は、第２ダミーステージＤＳＴ２０と第２走査ステージＳＳＴ２１〜ＳＳＴ２ｎとを含むことができる。
【０３８９】
第２ダミーステージＤＳＴ２０は、第２ダミー走査線Ｓ２０の一端に接続され、第２ダミー走査線Ｓ２０を通じて第２ダミー走査信号Ｇ２０を供給することができる。
【０３９０】
第２走査ステージＳＳＴ２１〜ＳＳＴ２ｎは、それぞれ第２走査線Ｓ２１〜Ｓ２ｎの一端に接続され、これを通じて第２走査線Ｓ２１〜Ｓ２ｎに第２走査信号Ｇ２１〜Ｇ２ｎを供給することができる。
【０３９１】
第２ダミーステージＤＳＴ２０と第２走査ステージＳＳＴ２１〜ＳＳＴ２ｎとはタイミング制御部２５０から供給されるクロック信号ＣＬＫ１、ＣＬＫ２、ＣＬＫ３、ＣＬＫ４に応じて動作することができる。
【０３９２】
第２走査駆動部２１２に含まれたステージＤＳＴ２０、ＳＳＴ２１〜ＳＳＴ２ｎのうちの一部のステージは、第１クロック信号ＣＬＫ１を供給する第１クロック線ＣＬ１および第２クロック信号ＣＬＫ２を供給する第２クロック線ＣＬ２に接続され、残りのステージは、第３クロック信号ＣＬＫ３を供給する第３クロック線ＣＬ３および第４クロック信号ＣＬＫ４を供給する第４クロック線ＣＬ４に接続され得る。
【０３９３】
例えば、第２ダミーステージＤＳＴ２０と最初の第１走査ステージＳＳＴ２１とは第１クロック信号ＣＬＫ１および第２クロック信号ＣＬＫ２の供給を受け、二番目の第２走査ステージＳＳＴ２２と三番目の第２走査ステージＳＳＴ２３とは第３クロック信号ＣＬＫ３および第４クロック信号ＣＬＫ４の供給を受けることができる。
【０３９４】
四番目の第２走査ステージＳＳＴ２４〜最後の第２走査ステージＳＳＴ２ｎにもクロック信号ＣＬＫ１、ＣＬＫ２、ＣＬＫ３、ＣＬＫ４が交互に供給され得る。
【０３９５】
最後に、第３走査駆動部２１３は、第３ダミーステージＤＳＴ３０と第３走査ステージＳＳＴ３１〜ＳＳＴ３ｋとを含むことができる。
【０３９６】
第３ダミーステージＤＳＴ３０は、第３ダミー走査線Ｓ３０の一端に接続され、第３ダミー走査線Ｓ３０を通じて第３ダミー走査信号Ｇ３０を供給することができる。
【０３９７】
第３走査ステージＳＳＴ３１〜ＳＳＴ３ｋは、それぞれ第３走査線Ｓ３１〜Ｓ３ｋの一端に接続され、これを通じて第３走査線Ｓ３１〜Ｓ３ｋに第３走査信号Ｇ３１〜Ｇ３ｋを供給することができる。
【０３９８】
第３ダミーステージＤＳＴ３０と第３走査ステージＳＳＴ３１〜ＳＳＴ３ｋとは、タイミング制御部２５０から供給されるクロック信号ＣＬＫ１、ＣＬＫ２、ＣＬＫ３、ＣＬＫ４に応じて動作することができる。
【０３９９】
第３走査駆動部２１３に含まれたステージＤＳＴ３０、ＳＳＴ３１〜ＳＳＴ３ｋのうちの一部のステージは、第１クロック信号ＣＬＫ１を供給する第１クロック線ＣＬ１および第２クロック信号ＣＬＫ２を供給する第２クロック線ＣＬ２に接続され、残りのステージは、第３クロック信号ＣＬＫ３を供給する第３クロック線ＣＬ３および第４クロック信号ＣＬＫ４を供給する第４クロック線ＣＬ４に接続され得る。
【０４００】
例えば、第３ダミーステージＤＳＴ３０と最初の第３走査ステージＳＳＴ３１とは第１クロック信号ＣＬＫ１および第２クロック信号ＣＬＫ２の供給を受け、二番目の第３走査ステージＳＳＴ３２と三番目の第３走査ステージＳＳＴ３３とは第３クロック信号ＣＬＫ３および第４クロック信号ＣＬＫ４の供給を受けることができる。
【０４０１】
四番目の第３走査ステージＳＳＴ３４〜最後の第３走査ステージＳＳＴ３ｋにも、クロック信号ＣＬＫ１、ＣＬＫ２、ＣＬＫ３、ＣＬＫ４が交互に供給され得る。
【０４０２】
図２１は、図２０に図示された第１走査駆動部の実施例を示す図面である。図２１では説明の便宜を図るために、４個のステージＤＳＴ１０、ＳＳＴ１１〜ＳＳＴ１３を図示する。
【０４０３】
図２１を参照すると、ステージＤＳＴ１０、ＳＳＴ１１〜ＳＳＴ１３のそれぞれはクロック信号ＣＬＫ１、ＣＬＫ２、ＣＬＫ３、ＣＬＫ４のうちの二つのクロック信号に応じて駆動される。例えば、ステージＤＳＴ１０、ＳＳＴ１１〜ＳＳＴ１３のそれぞれは、第１クロック信号ＣＬＫ１および第２クロック信号ＣＬＫ２に応じて駆動されるか、または第３クロック信号ＣＬＫ３および第４クロック信号ＣＬＫ４に応じて駆動され得る。
【０４０４】
このようなステージＤＳＴ１０、ＳＳＴ１１〜ＳＳＴ１３は、同じ回路で実現され得る。
【０４０５】
ステージＤＳＴ１０、ＳＳＴ１１〜ＳＳＴ１３のそれぞれは、第１入力端子１００１〜第３入力端子１００３、出力端子１００４を具備することができる。
【０４０６】
ステージＤＳＴ１０、ＳＳＴ１１〜ＳＳＴ１３のそれぞれの第１入力端子１００１は、前段のステージの出力信号（すなわち、走査信号）または第１開始信号ＦＬＭ１の供給を受ける。
【０４０７】
例えば、第１ダミーステージＤＳＴ１０の第１入力端子１００１は、第１開始信号ＦＬＭ１の供給を受け、残りの走査ステージＳＳＴ１１〜ＳＳＴ１３の第１入力端子１００１は、前段のステージの出力信号の供給を受ける。
【０４０８】
奇数番目に位置したステージ（例えば、第１ダミーステージＤＳＴ１０および二番目の第１走査ステージＳＳＴ１２）の第２入力端子１００２は、第１クロック線ＣＬ１または第３クロック線ＣＬ３と接続され、第３入力端子１００３は、第２クロック線ＣＬ２または第４クロック線ＣＬ４と接続され得る。
【０４０９】
偶数番目に位置したステージ（例えば、最初の第１走査ステージＳＳＴ１１および三番目の第１走査ステージＳＳＴ１３）の第２入力端子１００２は、第２クロック線ＣＬ２または第４クロック線ＣＬ４と接続され、第３入力端子１００３は、第１クロック線ＣＬ１または第３クロック線ＣＬ３と接続され得る。
【０４１０】
第１クロック信号ＣＬＫ１と第２クロック信号ＣＬＫ２とは互いに異なる位相（ｐｈａｓｅ）を有することができる。例えば、第２クロック信号ＣＬＫ２は第１クロック信号ＣＬＫ１と１８０度の位相差を有することができる。
【０４１１】
第３クロック信号ＣＬＫ３は、第１クロック信号ＣＬＫ１と同じであってもよく、第４クロック信号ＣＬＫ４は、第２クロック信号ＣＬＫ２と同じであってもよい。したがって、第３クロック信号ＣＬＫ３と第４クロック信号ＣＬＫ４とは互いに異なる位相を有し、例えば、第４クロック信号ＣＬＫ２は第３クロック信号ＣＬＫ３と１８０度の位相差を有することができる。
【０４１２】
ステージＤＳＴ１０、ＳＳＴ１１〜ＳＳＴ１３のそれぞれは、第１電源ＶＤＤおよび第２電源ＶＳＳの供給を受ける。ここで、第１電源ＶＤＤは、ゲートオフ電圧、例えば高電圧に設定され得る。そして、第２電源ＶＳＳは、ゲートオン電圧、例えば低電圧に設定され得る。
【０４１３】
残りの第１走査ステージＳＳＴ１３〜ＳＳＴ１ｊも、図２１に図示されたステージＤＳＴ１０、ＳＳＴ１１〜ＳＳＴ１３と同じ構成を有することができる。
【０４１４】
また、第２走査駆動部２１２および第３走査駆動部２１３のそれぞれのステージも、図２１に図示されたステージＤＳＴ１０、ＳＳＴ１１〜ＳＳＴ１３と同一に設定され得る。
【０４１５】
一方、図２１ではそれぞれのステージＤＳＴ１０、ＳＳＴ１１〜ＳＳＴ１３が三個の入力端子を具備するものと図示されたが、本発明はこれに限定されず、ステージの回路構成が変更されることによって、ステージに備えられる入力端子の個数も多様に変更され得る。
【０４１６】
図２２Ａおよび図２２Ｂは、図２１に図示されたステージに入力する第１〜第４クロック信号および図２１に図示されたステージから出力する走査信号を示した波形図である。
【０４１７】
図２２Ａを参照すると、クロック信号ＣＬＫ１、ＣＬＫ２、ＣＬＫ３、ＣＬＫ４はロー電圧とハイ電圧とのいずれかとなるクロック信号であってもよい。特に、第１クロック信号ＣＬＫ１は第３クロック信号ＣＬＫ３と同じ信号に設定され、第２クロック信号ＣＬＫ２は第４クロック信号ＣＬＫ４と同じ信号に設定され得る。
【０４１８】
第１ダミーステージＤＳＴ１０に第１開始信号ＦＬＭ１が供給されると、第１ダミーステージＤＳＴ１０は、第１および第２クロック信号ＣＬＫ１、ＣＬＫ２に応じて第１開始信号ＦＬＭ１をシフトすることによって、第１ダミー走査信号Ｇ１０を出力することができる。
【０４１９】
最初の第１走査ステージＳＳＴ１１は、第１および第２クロック信号ＣＬＫ１、ＣＬＫ２に応じて第１ダミー走査信号Ｇ１０をシフトすることによって、最初の第１走査信号Ｇ１１を出力することができる。
【０４２０】
二番目の第１走査ステージＳＳＴ１２は、第３および第４クロック信号ＣＬＫ３、ＣＬＫ４に応じて最初の第１走査信号Ｇ１１をシフトすることによって、二番目の第１走査信号Ｇ１２を出力することができる。
【０４２１】
三番目の第１走査ステージＳＳＴ１３は、第３および第４クロック信号ＣＬＫ３、ＣＬＫ４に応じて二番目の第１走査信号Ｇ１２をシフトすることによって、三番目の第１走査信号Ｇ１３を出力することができる。
【０４２２】
残りの第１走査信号Ｇ１２〜Ｇ１ｊも前述した方式により順次出力され得る。また、第２走査駆動部２１２および第３走査駆動部２１３に含まれたステージも同一に動作することができる。
【０４２３】
図２２Ａでは第１開始信号ＦＬＭ１のローレベル期間は、一つの第１クロック信号ＣＬＫ１のローレベル期間と重なるものと図示されたが、本発明はこれに限定されるものではない。
【０４２４】
本発明の他の実施例によると、第１開始信号ＦＬＭ１のローレベル期間は２以上の第１クロック信号ＣＬＫ１のローレベル期間と重なるように設定され得る。
【０４２５】
すなわち、第１開始信号ＦＬＭ１のローレベル期間は所定の幅を有し、例えば図２２Ｂに図示されたように、第１開始信号ＦＬＭ１のローレベル期間は三個の第１クロック信号ＣＬＫ１のローレベル期間と重なり得る。
【０４２６】
図２２Ｂを参照すると、第１ダミーステージＤＳＴ１０に第１開始信号ＦＬＭ１が供給されると、第１ダミーステージＤＳＴ１０は、第１および第２クロック信号ＣＬＫ１、ＣＬＫ２に応じて第１開始信号ＦＬＭ１をシフトすることによって、第１ダミー走査信号Ｇ１０を出力することができる。
【０４２７】
特に、第１ダミー走査信号Ｇ１０のローレベル期間の数は、第１開始信号ＦＬＭ１のローレベル期間と重なった第１クロック信号ＣＬＫ１のローレベル期間数に対応することができる。すなわち、第１ダミー走査信号Ｇ１０は三個のローレベル期間を有することができる。
【０４２８】
次に、最初の第１走査ステージＳＳＴ１１は、第１および第２クロック信号ＣＬＫ１、ＣＬＫ２に応じて第１ダミー走査信号Ｇ１０をシフトすることによって、最初の第１走査信号Ｇ１１を出力することができる。
【０４２９】
このとき、第１走査信号Ｇ１１のローレベル期間の数は、第１ダミー走査信号Ｇ１０のローレベル期間の数に応じて設定され得る。すなわち、第１走査信号Ｇ１１は三個のローレベル期間を有することができる。
【０４３０】
残りの第１走査信号Ｇ１２〜Ｇ１ｊも前述した方式により順次出力され得る。
【０４３１】
図２２Ｂに図示されていないが、第２開始信号ＦＬＭ２および第３開始信号ＦＬＭ３は第１開始信号ＦＬＭ１と同じ幅に設定され、第２走査駆動部２１２および第３走査駆動部２１３に含まれたステージＤＳＴ２０、ＳＳＴ２１〜ＳＳＴ２ｎ、ＤＳＴ３０、ＳＳＴ３１〜ＳＳＴ３ｋも前述した方式により同一に動作することができる。
【０４３２】
すなわち、本発明の実施例によると、開始信号ＦＬＭ１、ＦＬＭ２、ＦＬＭ３の幅を利用してステージＤＳＴ１０、ＳＳＴ１１〜ＳＳＴ１ｊ、ＤＳＴ２０、ＳＳＴ２１〜ＳＳＴ２ｎ、ＤＳＴ３０、ＳＳＴ３１〜ＳＳＴ３ｋから出力する走査信号の特性を調節することができる。一方、開始信号ＦＬＭ１、ＦＬＭ２、ＦＬＭ３の幅は図２２Ａおよび図２２Ｂに図示されたものに限定されず、場合によって多様に変更され得る。
【０４３３】
クロック信号を伝達するクロック線に多数のステージが接続される場合、クロック信号の遅延によってクロック信号に応じて出力される走査信号が遅延されるか走査信号の振れ幅が小さくなる問題点が発生し得る。
【０４３４】
本発明の実施例では、第１〜第３走査駆動部２１１、２１２、２１３に備えられたステージ中の一部には第１クロック線ＣＬ１および第２クロック線ＣＬ２を接続し、残りのステージには第３クロック線ＣＬ３および第４クロック線ＣＬ４を接続することによって、クロック線に接続されるステージの個数を減少させることができ、したがって、前述した問題点を解決することができる。
【０４３５】
図２３および図２４は、クロック線とステージの間の接続関係に対する多様な実施例を示した図面である。
【０４３６】
図２３を参照すると、第１走査駆動部２１１に含まれたステージＤＳＴ１０、ＳＳＴ１１〜ＳＳＴ１ｊにおいて、｛４＊（ａ−１）＋１｝番目に位置するステージ（例えば、第１ダミーステージＤＳＴ１０、四番目の第１走査ステージＳＳＴ１４、８番目の第１走査ステージＳＳＴ１８など）と（４＊ａ）番目に位置するステージ（例えば、３番目の第１走査ステージＳＳＴ１３、および７番目の第１走査ステージＳＳＴ１７など）は、第１クロック線ＣＬ１および第２クロック線ＣＬ２に接続され得る（ここで、ａは自然数）。
【０４３７】
第１クロック線ＣＬ１および第２クロック線ＣＬ２に接続されたステージを除いた残りのステージは、第３クロック線ＣＬ３および第４クロック線ＣＬ４に接続され得る。
【０４３８】
第２走査駆動部２１２および第３走査駆動部２１３のそれぞれのステージとクロック線との接続関係も、前述したものと同じであってもよい。
【０４３９】
図２４を参照すると、第１走査駆動部２１１と第３走査駆動部２１３とは第１クロック線ＣＬ１および第２クロック線ＣＬ２に接続され、第２走査駆動部２１２は第３クロック線ＣＬ３および第４クロック線ＣＬ４に接続され得る。
【０４４０】
図２５は、走査ステージの実施例を示す回路図である。
【０４４１】
図２５では説明の便宜を図るために第１ダミーステージＤＳＴ１０と最初の第１走査ステージＳＳＴ１１とを図示する。
【０４４２】
図２５を参照すると、本発明の実施例に係る第１ダミーステージＤＳＴ１０は第１駆動部１２１０、第２駆動部１２２０、出力部１２３０（またはバッファー）および第１トランジスターＭ１を具備する。
【０４４３】
出力部１２３０は、第１ノードＮ１および第２ノードＮ２電圧に応じて出力端子１００４に供給される電圧を制御する。このために、出力部１２３０は第５トランジスターＭ５および第６トランジスターＭ６を具備する。
【０４４４】
第５トランジスターＭ５は、第１電源ＶＤＤと出力端子１００４の間に位置し、ゲート電極が第１ノードＮ１に接続される。このような第５トランジスターＭ５は第１ノードＮ１に印加される電圧に応じて第１電源ＶＤＤと出力端子１００４との接続を制御する。
【０４４５】
第６トランジスターＭ６は出力端子１００４と第３入力端子１００３との間に位置し、ゲート電極が第２ノードＮ２に接続される。このような第６トランジスターＭ６は第２ノードＮ２に印加される電圧に応じて出力端子１００４と第３入力端子１００３との接続を制御する。このような出力部１２３０はバッファーとして駆動する。さらに、第５トランジスターＭ５および／または第６トランジスターＭ６は複数のトランジスターが並列に接続されて構成され得る。
【０４４６】
第１駆動部１２１０は、第１入力端子１００１〜第３入力端子１００３に供給される信号に応じて第３ノードＮ３の電圧を制御する。このために、第１駆動部１２１０は第２トランジスターＭ２〜第４トランジスターＭ４を具備する。
【０４４７】
第２トランジスターＭ２は、第１入力端子１００１と第３ノードＮ３との間に位置し、ゲート電極が第２入力端子１００２に接続される。このような第２トランジスターＭ２は、第２入力端子１００２に供給される信号に応じて第１入力端子１００１と第３ノードＮ３との接続を制御する。
【０４４８】
一方、図２５には図示されていないが、第２トランジスターＭ２の第２電極と第３トランジスターＭ３の第２電極間に位置し、ゲート電極が第２入力端子１００２に接続されるトランジスターをさらに具備することもできる。
【０４４９】
第３トランジスターＭ３および第４トランジスターＭ４は、第３ノードＮ３と第１電源ＶＤＤの間に直列に接続される。実際、第３トランジスターＭ３は、第４トランジスターＭ４と第３ノードＮ３の間に位置し、ゲート電極が第３入力端子１００３に接続される。このような第３トランジスターＭ３は第３入力端子１００３に供給される信号に応じて第４トランジスターＭ４と第３ノードＮ３の接続を制御する。
【０４５０】
第４トランジスターＭ４は、第３トランジスターＭ３と第１電源ＶＤＤの間に位置し、ゲート電極が第１ノードＮ１に接続される。このような第４トランジスターＭ４は第１ノードＮ１の電圧に応じて第３トランジスターＭ３と第１電源ＶＤＤとの接続を制御する。
【０４５１】
第２駆動部１２２０は、第２入力端子１００２および第３ノードＮ３の電圧に応じて第１ノードＮ１の電圧を制御する。このために、第２駆動部１２２０は第７トランジスターＭ７、第８トランジスターＭ８、第１キャパシタＣ１および第２キャパシタＣ２を具備する。
【０４５２】
第１キャパシタＣ１は、第２ノードＮ２と出力端子１００４との間に接続される。このような第１キャパシタＣ１は、第６トランジスターＭ６のターン−オンおよびターン−オフに対応する電圧を充電する。
【０４５３】
第２キャパシタＣ２は、第１ノードＮ１と第１電源ＶＤＤとの間に接続される。このような第２キャパシタＣ２は、第１ノードＮ１に印加される電圧を充電する。
【０４５４】
第７トランジスターＭ７は、第１ノードＮ１と第２入力端子１００２との間に位置し、ゲート電極が第３ノードＮ３に接続される。このような第７トランジスターＭ７は、第３ノードＮ３の電圧に応じて第１ノードＮ１と第２入力端子１００２との接続を制御する。
【０４５５】
第８トランジスターＭ８は、第１ノードＮ１と第２電源ＶＳＳとの間に位置し、ゲート電極が第２入力端子１００２に接続される。このような第８トランジスターＭ８は、第２入力端子１００２の信号に応じて第１ノードＮ１と第２電源ＶＳＳの接続を制御する。
【０４５６】
第１トランジスターＭ１は、第３ノードＮ３と第２ノードＮ２との間に位置し、ゲート電極が第２電源ＶＳＳに接続される。このような第１トランジスターＭ１は、ターン−オン状態を維持しつつ、第３ノードＮ３および第２ノードＮ２の電気的接続を維持する。さらに、第１トランジスターＭ１は、第２ノードＮ２の電圧に応じて第３ノードＮ３の電圧下降幅を制限する。換言すれば、第２ノードＮ２の電圧が第２電源ＶＳＳより低い電圧に下降しても、第３ノードＮ３の電圧は第２電源ＶＳＳから第１トランジスターＭ１の閾値電圧を引いた電圧より低くならない。
【０４５７】
最初の第１走査ステージＳＳＴ１１と残りの第１走査ステージＳＳＴ１２〜ＳＳＴ１ｊとは、前記第１ダミーステージＤＳＴ１０と同じ構成を有することができる。
【０４５８】
また、図２５では、第１走査駆動部２１１に含まれたステージを対象に説明したが、第２走査駆動部２１２および第３走査駆動部２１３に含まれたステージも同じ構成を有することができる。
【０４５９】
本発明が属する技術分野の通常の知識を有する者は、本発明がその技術的思想や必須の特徴を変更することなく異なる具体的な形態で実施され得ることが理解できるであろう。したがって、前述した実施例はすべての面において例示的なものであり、限定的なものではないと理解されるべきである。本発明の範囲は前記詳細な説明よりは後述する特許請求の範囲によって示され、特許請求の範囲の意味および範囲そしてその均等概念から導き出されるすべての変更または変形された形態が本発明の範囲に含まれると解釈されるべきである。
【符号の説明】
【０４６０】
１０、１０’、１０”：表示装置
２１１：第１走査駆動部
２１２、２１２’：第２走査駆動部
２１３、２１３’、２１３”：第３走査駆動部
２３０：データ駆動部
２５０：タイミング制御部
３１１：第１発光駆動部
３１２：第２発光駆動部
３１３：第３発光駆動部
ＰＸＬ１：第１画素
ＰＸＬ２、ＰＸＬ２’：第２画素
ＰＸＬ３、ＰＸＬ３’：第３画素
【図１Ａ】
2018112741.tif 000003
【図１Ｂ】
2018112741.tif 000004
【図１Ｃ】
2018112741.tif 000005
【図２】
2018112741.tif 000006
【図３】
2018112741.tif 000007
【図４】
2018112741.tif 000008
【図５】
2018112741.tif 000009
【図６】
2018112741.tif 000010
【図７Ａ】
2018112741.tif 000011
【図７Ｂ】
2018112741.tif 000012
【図８Ａ】
2018112741.tif 000013
【図８Ｂ】
2018112741.tif 000014
【図９】
2018112741.tif 000015
【図１０】
2018112741.tif 000016
【図１１】
2018112741.tif 000017
【図１２】
2018112741.tif 000018
【図１３】
2018112741.tif 000019
【図１４Ａ】
2018112741.tif 000020
【図１４Ｂ】
2018112741.tif 000021
【図１５】
2018112741.tif 000022
【図１６Ａ】
2018112741.tif 000023
【図１６Ｂ】
2018112741.tif 000024
【図１７】
2018112741.tif 000025
【図１８Ａ】
2018112741.tif 000026
【図１８Ｂ】
2018112741.tif 000027
【図１９】
2018112741.tif 000028
【図２０】
2018112741.tif 000029
【図２１】
2018112741.tif 000030
【図２２Ａ】
2018112741.tif 000031
【図２２Ｂ】
2018112741.tif 000032
【図２３】
2018112741.tif 000033
【図２４】
2018112741.tif 000034
【図２５】
2018112741.tif 000035